(57)【要約】  本開示は、ダウンリンク制御チャネルリソース特定方法、装置、ユーザ機器および基地局を提供する。ユーザ機器側のダウンリンク制御チャネルリソース特定方法において、基地局から送信される指示メッセージを受信し、ユーザ機器専用の物理ダウンリンク制御チャネルを伝送するための第１リソースセットを前記指示メッセージに基づいて特定するステップ、または、プロトコルの定義に基づいて、ユーザ機器専用の物理ダウンリンク制御チャネルを伝送するための第１リソースセットを特定するステップを含む。【選択図】図１
2020524462.tif 000002
【特許請求の範囲】
【請求項１】
基地局から送信される指示メッセージを受信し、ユーザ機器専用の物理ダウンリンク制御チャネルを伝送するための第１リソースセットを前記指示メッセージに基づいて特定するステップ、または、
プロトコルの定義に基づいて、ユーザ機器専用の物理ダウンリンク制御チャネルを伝送するための第１リソースセットを特定するステップを含む、ダウンリンク制御チャネルリソース特定方法。
【請求項２】
ユーザ機器専用の物理ダウンリンク制御チャネルを伝送するための第１リソースセットを特定するステップの後に、
前記ユーザ機器専用の物理ダウンリンク制御チャネルを前記第１リソースセット内で検出するステップをさらに含む、請求項１に記載の方法。
【請求項３】
前記の前記ユーザ機器専用の物理ダウンリンク制御チャネルを前記第１リソースセット内で検出するステップの後に、
前記ユーザ機器がネットワークにアクセスした後の初めての無線リソース制御シグナリングのスケジューリング情報を、検出した前記ユーザ機器専用の物理ダウンリンク制御チャネルで受信するステップと、
前記基地局から前記ユーザ機器に設定した専用の物理ダウンリンク制御チャネルの第２リソースセットの設定情報が付帯される前記初めての無線リソース制御シグナリングを、前記初めての無線リソース制御シグナリングのスケジューリング情報に基づいて受信するステップとをさらに含む、請求項２に記載の方法。
【請求項４】
前記の前記初めての無線リソース制御シグナリングを前記初めての無線リソース制御シグナリングのスケジューリング情報に基づいて受信するステップの後に、
受信した前記初めての無線リソース制御シグナリングに付帯される前記第２リソースセットの設定情報に基づいて、前記第２リソースセットを特定するステップと、
前記ユーザ機器専用の物理ダウンリンク制御チャネルで伝送される制御情報を前記第２リソースセット内で検出して受信するステップとをさらに含む、請求項３に記載の方法。
【請求項５】
前記の基地局から送信される指示メッセージを受信し、ユーザ機器専用の物理ダウンリンク制御チャネルを伝送するための第１リソースセットを前記指示メッセージに基づいて特定するステップは、
前記ユーザ機器のランダムアクセスプロセスで前記基地局から送信されるメッセージを受信し、当該メッセージに付帯される前記第１リソースセットの指示情報に基づいて前記第１リソースセットを特定することを含む、請求項１に記載の方法。
【請求項６】
前記の基地局から送信される指示メッセージを受信し、ユーザ機器専用の物理ダウンリンク制御チャネルを伝送するための第１リソースセットを前記指示メッセージに基づいて特定するステップは、
システムメッセージのうちＭＩＢ（Ｍａｓｔｅｒ  Ｉｎｆｏｒｍａｔｉｏｎ  Ｂｌｏｃｋ）メッセージ以外のシステムメッセージであるＲＭＳＩメッセージを前記基地局から受信し、前記ＲＭＳＩメッセージに付帯される前記第１リソースセットの指示情報に基づいて前記第１リソースセットを特定するステップを含む、請求項１に記載の方法。
【請求項７】
前記の基地局から送信される指示メッセージを受信し、ユーザ機器専用の物理ダウンリンク制御チャネルを伝送するための第１リソースセットを前記指示メッセージに基づいて特定するステップは、
前記基地局から送信されるＭＩＢメッセージを受信し、前記ＭＩＢメッセージから取得する共通制御チャネル伝送用のリソースセットを前記第１リソースセットに特定するステップを含む、請求項１に記載の方法。
【請求項８】
前記のプロトコルの定義に基づいて、ユーザ機器専用の物理ダウンリンク制御チャネルを伝送するための第１リソースセットを特定するステップは、
プロトコルの定義で、前記ユーザ機器のＲＮＴＩ（Ｒａｄｉｏ  Ｎｅｔｗｏｒｋ  Ｔｅｍｐｏｒａｒｙ  Ｉｄｅｎｔｉｆｉｅｒ）に基づいて前記第１リソースセットの開始位置情報を特定するステップと、
前記第１リソースセットの開始位置情報、および予め取得した前記第１リソースセットのサイズに基づいて、前記第１リソースセットを特定するステップとを含む、請求項１に記載の方法。
【請求項９】
予め取得した前記第１リソースセットのサイズは、
前記プロトコルの定義で予め定義され、または、
前記ユーザ機器によって、前記ユーザ機器のランダムアクセスプロセスで前記基地局から送信されるメッセージから取得され、または、前記基地局から送信されるＲＭＳＩメッセージまたはＭＩＢメッセージから取得され、
ここで、前記ＲＭＳＩメッセージは、システムメッセージのうち、ＭＩＢメッセージ以外のシステムメッセージである、請求項８に記載の方法。
【請求項１０】
前記ユーザ機器のランダムアクセスプロセスで前記基地局から送信されるメッセージは、
Ｍｓｇ２またはＭｓｇ４である、請求項５または９に記載の方法。
【請求項１１】
ユーザ機器に対し、前記ユーザ機器専用の物理ダウンリンク制御チャネルを伝送するための第１リソースセットを特定するように前記ユーザ機器に指示するための指示メッセージを送信するステップを含む、ダウンリンク制御チャネルリソース特定方法。
【請求項１２】
前記のユーザ機器に対し指示メッセージを送信するステップの後に、
前記ユーザ機器がネットワークにアクセスした後の初めての無線リソース制御シグナリングのスケジューリング情報を、
前記ユーザ機器によって、特定された前記第１リソースセットで前記ユーザ機器専用の物理ダウンリンク制御チャネルを検出して前記初めての無線リソース制御シグナリングのスケジューリング情報を受信するように、
前記ユーザ機器専用の物理ダウンリンク制御チャネルで前記ユーザ機器に送信するステップと、
前記ユーザ機器専用の物理ダウンリンク制御チャネルを伝送するための第２リソースセットを前記ユーザ機器に設定するステップと、
前記第２リソースセットの設定情報を、前記初めての無線リソース制御シグナリングの付帯情報として前記ユーザ機器に送信するステップとをさらに含む、請求項１１に記載の方法。
【請求項１３】
前記の前記第２リソースセットの設定情報を、前記初めての無線リソース制御シグナリングの付帯情報として前記ユーザ機器に送信するステップの後に、
前記ユーザ機器専用の物理ダウンリンク制御チャネルでの制御情報を前記第２リソースセット内で伝送するステップをさらに含む、請求項１２に記載の方法。
【請求項１４】
前記のユーザ機器に対し指示メッセージを送信するステップは、
前記第１リソースセットの指示情報を、前記ユーザ機器のランダムアクセスプロセスで基地局から前記ユーザ機器に送信されるメッセージの付帯情報として前記ユーザ機器に送信するステップを含む、請求項１１に記載の方法。
【請求項１５】
前記のユーザ機器に対し指示メッセージを送信するステップは、
前記第１リソースセットの指示情報を、システムメッセージのうちＭＩＢメッセージ以外のシステムメッセージであるＲＭＳＩメッセージの付帯情報として前記ユーザ機器に送信するステップを含む、請求項１１に記載の方法。
【請求項１６】
前記のユーザ機器に対し指示メッセージを送信するステップは、
前記ユーザ機器に対しＭＩＢメッセージを、
前記ユーザ機器によって、前記ＭＩＢメッセージから取得する共通制御チャネル伝送用のリソースセットを前記第１リソースセットに特定するように、
送信するステップを含む、請求項１１に記載の方法。
【請求項１７】
前記第１リソースセットのサイズを、
ＲＭＳＩメッセージ、またはＭＩＢメッセージ、または前記ユーザ機器のランダムアクセスプロセスで基地局から送信されるメッセージの付帯情報として、
前記ユーザ機器に送信するステップをさらに含み、
それによって、前記ユーザ機器が、前記第１リソースセットのサイズ、および、プロトコルの定義で前記ユーザ機器のＲＮＴＩに基づいて特定された前記第１リソースセットの開始位置情報に基づいて、前記第１リソースセットを特定する、請求項１１に記載の方法。
【請求項１８】
前記ユーザ機器のランダムアクセスプロセスで基地局から送信されるメッセージは、
Ｍｓｇ２またはＭｓｇ４である、請求項１４または１７に記載の方法。
【請求項１９】
基地局から送信される指示メッセージを受信し、ユーザ機器専用の物理ダウンリンク制御チャネルを伝送するための第１リソースセットを前記指示メッセージに基づいて特定する第１特定モジュール、または、
プロトコルの定義に基づいて、ユーザ機器専用の物理ダウンリンク制御チャネルを伝送するための第１リソースセットを特定する第２特定モジュールを含む、ユーザ機器。
【請求項２０】
前記ユーザ機器専用の物理ダウンリンク制御チャネルを前記第１リソースセット内で検出するチャネル検出モジュールをさらに含む、請求項１９に記載のユーザ機器。
【請求項２１】
前記ユーザ機器がネットワークにアクセスした後の初めての無線リソース制御シグナリングのスケジューリング情報を、検出した前記ユーザ機器専用の物理ダウンリンク制御チャネルで受信するスケジューリング情報受信モジュールと、
前記基地局から前記ユーザ機器に設定した専用の物理ダウンリンク制御チャネルの第２リソースセットの設定情報が付帯される前記初めての無線リソース制御シグナリングを、前記初めての無線リソース制御シグナリングのスケジューリング情報に基づいて受信するシグナリング受信モジュールとをさらに含む、請求項２０に記載のユーザ機器。
【請求項２２】
受信した前記初めての無線リソース制御シグナリングに付帯される前記第２リソースセットの設定情報に基づいて、前記第２リソースセットを特定する第３特定モジュールと、
前記ユーザ機器専用の物理ダウンリンク制御チャネルで伝送される制御情報を前記第２リソースセット内で検出して受信する制御情報受信モジュールとをさらに含む、請求項２１に記載のユーザ機器。
【請求項２３】
前記第１特定モジュールは、
前記ユーザ機器のランダムアクセスプロセスで前記基地局から送信されるメッセージを受信し、当該メッセージに付帯される前記第１リソースセットの指示情報に基づいて前記第１リソースセットを特定する第１受信ユニットを含む、請求項１９に記載のユーザ機器。
【請求項２４】
前記第１特定モジュールは、
システムメッセージのうちＭＩＢメッセージ以外のシステムメッセージであるＲＭＳＩメッセージを前記基地局から受信し、前記ＲＭＳＩメッセージに付帯される前記第１リソースセットの指示情報に基づいて前記第１リソースセットを特定する第２受信ユニットを含む、請求項１９に記載のユーザ機器。
【請求項２５】
前記第１特定モジュールは、
前記基地局から送信されるＭＩＢメッセージを受信し、前記ＭＩＢメッセージから取得する共通制御チャネル伝送用のリソースセットを前記第１リソースセットに特定する第３受信ユニットを含む、請求項１９に記載のユーザ機器。
【請求項２６】
前記第２特定モジュールは、
プロトコルの定義で、前記ユーザ機器のＲＮＴＩに基づいて前記第１リソースセットの開始位置情報を特定する開始位置特定ユニットと、
前記第１リソースセットの開始位置情報、および予め取得した前記第１リソースセットのサイズに基づいて、前記第１リソースセットを特定するリソースセット特定ユニットとを含む、請求項１９に記載のユーザ機器。
【請求項２７】
予め取得した前記第１リソースセットのサイズは、
前記プロトコルの定義で予め定義され、または、
前記ユーザ機器によって、前記ユーザ機器のランダムアクセスプロセスで前記基地局から送信されるメッセージから取得され、または、前記基地局から送信されるＲＭＳＩメッセージまたはＭＩＢメッセージから取得され、
ここで、前記ＲＭＳＩメッセージは、システムメッセージのうち、ＭＩＢメッセージ以外のシステムメッセージである、請求項２６に記載のユーザ機器。
【請求項２８】
前記ユーザ機器のランダムアクセスプロセスで前記基地局から送信されるメッセージは、
Ｍｓｇ２またはＭｓｇ４である、請求項２３または２７に記載のユーザ機器。
【請求項２９】
第１メモリ、第１プロセッサ、および前記第１メモリに記憶されて前記第１プロセッサで実行可能なコンピュータプログラムを含むユーザ機器において、
前記第１プロセッサが前記プログラムを実行すると、請求項１〜１０のいずれか一項に記載のダウンリンク制御チャネルリソース特定方法のステップが実現される、ユーザ機器。
【請求項３０】
コンピュータプログラムが記憶されているコンピュータ読み取り可能な記憶媒体であって、
当該プログラムがプロセッサによって実行されると、請求項１〜１０のいずれか一項に記載のダウンリンク制御チャネルリソース特定方法のステップが実現される、コンピュータ読み取り可能な記憶媒体。
【請求項３１】
ユーザ機器に対し、前記ユーザ機器専用の物理ダウンリンク制御チャネルを伝送するための第１リソースセットを特定するように前記ユーザ機器に指示するための指示メッセージを送信する指示モジュールを含む、基地局。
【請求項３２】
前記ユーザ機器がネットワークにアクセスした後の初めての無線リソース制御シグナリングのスケジューリング情報を、
前記ユーザ機器によって、特定された前記第１リソースセットで前記ユーザ機器専用の物理ダウンリンク制御チャネルを検出して前記初めての無線リソース制御シグナリングのスケジューリング情報を受信するように、
前記ユーザ機器専用の物理ダウンリンク制御チャネルで前記ユーザ機器に送信するスケジューリング情報送信モジュールと、
前記ユーザ機器専用の物理ダウンリンク制御チャネルを伝送するための第２リソースセットを前記ユーザ機器に設定するリソース設定モジュールと、
前記第２リソースセットの設定情報を、前記初めての無線リソース制御シグナリングの付帯情報として前記ユーザ機器に送信するシグナリング送信モジュールとをさらに含む、請求項３１に記載の基地局。
【請求項３３】
前記ユーザ機器専用の物理ダウンリンク制御チャネルでの制御情報を前記第２リソースセット内で伝送する制御情報伝送モジュールをさらに含む、請求項３２に記載の基地局。
【請求項３４】
前記指示モジュールは、
前記第１リソースセットの指示情報を、前記ユーザ機器のランダムアクセスプロセスで基地局から前記ユーザ機器に送信されるメッセージの付帯情報として前記ユーザ機器に送信する第１送信ユニットを含む、請求項３１に記載の基地局。
【請求項３５】
前記指示モジュールは、
前記第１リソースセットの指示情報を、システムメッセージのうちＭＩＢメッセージ以外のシステムメッセージであるＲＭＳＩメッセージの付帯情報として前記ユーザ機器に送信する第２送信ユニットを含む、請求項３１に記載の基地局。
【請求項３６】
前記指示モジュールは、
前記ユーザ機器に対しＭＩＢメッセージを、
前記ユーザ機器によって、前記ＭＩＢメッセージから取得する共通制御チャネル伝送用のリソースセットを前記第１リソースセットに特定するように、
送信する第３送信ユニットを含む、請求項３１に記載の基地局。
【請求項３７】
前記第１リソースセットのサイズを、
ＲＭＳＩメッセージ、またはＭＩＢメッセージ、または前記ユーザ機器のランダムアクセスプロセスで基地局から送信されるメッセージの付帯情報として、
前記ユーザ機器に送信するリソースサイズ送信モジュールをさらに含み、
それによって、前記ユーザ機器が、前記第１リソースセットのサイズ、および、プロトコルの定義で前記ユーザ機器のＲＮＴＩに基づいて特定された前記第１リソースセットの開始位置情報に基づいて、前記第１リソースセットを特定する、請求項３１に記載の基地局。
【請求項３８】
前記ユーザ機器のランダムアクセスプロセスで基地局から送信されるメッセージは、
Ｍｓｇ２またはＭｓｇ４である、請求項３４または３７に記載の基地局。
【請求項３９】
第２メモリ、第２プロセッサ、および前記第２メモリに記憶されて前記第２プロセッサで実行可能なコンピュータプログラムを含む基地局において、
前記第２プロセッサが前記プログラムを実行すると、請求項１１〜１８のいずれか一項に記載のダウンリンク制御チャネルリソース特定方法のステップが実現される、基地局。
【請求項４０】
コンピュータプログラムが記憶されているコンピュータ読み取り可能な記憶媒体であって、
当該プログラムがプロセッサによって実行されると、請求項１１〜１８のいずれか一項に記載のダウンリンク制御チャネルリソース特定方法のステップが実現される、コンピュータ読み取り可能な記憶媒体。
【発明の詳細な説明】
【技術分野】
【０００１】
本願は、２０１７年６月１９日に中国特許庁に提出された中国特許出願２０１７１０４６４４８６．８の優先権を主張し、その全ての内容が援用によりここに取り込まれる。
本開示は、通信技術分野に係り、特にダウンリンク制御チャネルリソース特定方法、装置、ユーザ機器および基地局に係る。
【背景技術】
【０００２】
移動インターネットは、従来の移動通信サービス方式を覆し、今までのない使用体験をユーザに提供し、人々の仕事や生活のさまざまな方面に大きく影響する。移動インターネットは、人類社会における情報のやり取り方式の更なるグレードアップを推し進め、拡張現実、仮想現実、超高解像度動画、モバイルクラウドなど、より多様化するサービス体験をユーザに提供する。移動インターネットの更なる発展によって、将来、移動トラフィックの増加が千倍を超え、移動通信技術および産業の新たな改革を推し進める。
【０００３】
また、モノのインターネットは、人と人の通信から、人とモノ、モノとモノのスマートな相互接続まで延伸するように、移動通信のサービス範囲を拡張させ、移動通信技術をより広い業界と分野に浸透させる。将来、移動医療、車両ネットワーク、スマートホーム、工業制御、環境監視などは、モノのインターネットの応用の爆発的な増加を推し進め、膨大量の機器がネットワークにアクセスし、真の「インターネットオブエブリシングス」が実現される。同時に、超大量の機器接続および多様化するモノのインターネットサービスのために、移動通信は、新規技術に挑むことになる。
【０００４】
新しいサービスリクエストが次々と現れて多様化するにつれて、将来の移動通信システムに対し、より高いピークレート、より優れるユーザ体験レート、より小さい遅延、より高い信頼性、より高いスペクトル効率、より高いエネルギー効率など、より高い性能が求められ、より多くのユーザのアクセスおよび各種類のサービスの使用をサポートすることが必要とされる。よって、端末は、多種類の伝送モード、多種類のシーン、より多様化するサービスタイプを同時にサポートすることが必要になる可能性がある。さらに、端末の複雑性や電気消費要求もより厳しく求められる。
【０００５】
たとえば、伝送帯域幅全体で端末によるダウンリンク制御チャネルのモニタリングが必要となると、端末のエネルギー損失制御が大きな挑戦に直面し、端末側の遅延が増加する。また、リソース利用率に対しリクエストの向上および将来の一部応用シーンのニーズ（例えば周波数領域でセル間の干渉協調）に対し、ダウンリンク制御チャネルの伝送リソースをより柔軟に設定する必要がある。
【０００６】
ここで、関連技術のＬＴＥシステムのダウンリンク制御チャネルの物理ダウンリンク制御チャネル（ＰＤＣＣＨ）と拡張物理ダウンリンク制御チャネル（ＥＰＤＣＣＨ）を以下のように紹介する。
【０００７】
ＰＤＣＣＨは、スケジューリング情報およびほかの制御情報を搬送する。各ダウンリンクサブフレームの制御エリアに複数のＰＤＣＣＨを有し、制御エリアのサイズは、ＰＣＦＩＣＨ（Ｐｈｙｓｉｃａｌ  Ｃｏｎｔｒｏｌ  Ｆｏｒｍａｔ  Ｉｎｄｉｃａｔｏｒ  Ｃｈａｎｎｅｌ）によって決められ、１〜４個のＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）シンボルを占める。１つの制御チャネルの伝送は、１つのＣＣＥ（ｃｏｎｔｒｏｌ  ｃｈａｎｎｅｌ  ｅｌｅｍｅｎｔ）または複数の連続するＣＣＥを占用し、各ＣＣＥが９つのＲＥＧ（ｒｅｓｏｕｒｃｅ  ｅｌｅｍｅｎｔ  ｇｒｏｕｐ）からなり、かつＰＤＣＣＨのＣＣＥに含まれるＲＥＧは、ＰＣＦＩＣＨとＰＨＩＣＨの搬送に用いられないＲＥＧである。異なるニーズに適応するために、ＰＤＣＣＨは、多種類のフォーマット（ｆｏｒｍａｔ）をサポートする。具体的にサポートされるフォーマットは、表１のように示される。
【０００８】
表１：ＰＤＣＣＨにサポートされるｆｏｒｍａｔ
【表１】
2020524462.tif 000003
【０００９】
端末は、ｎｏｎ−ＤＲＸサブフレームでＰＤＣＣＨ候補（ｃａｎｄｉｄａｔｅ）セットのモニタリングを行い、すなわち、モニタリング対象のＤＣＩ（Ｄｏｗｎｌｉｎｋ  Ｃｏｎｔｒｏｌ  Ｉｎｆｏｒｍａｔｉｏｎ）フォーマットに基づいて、検索空間における各ＰＤＣＣＨの復号を試みる。検索空間は、ユーザ機器専用（ＵＥ−ｓｐｅｃｉｆｉｃ）とセル専用（Ｃｅｌｌ−ｓｐｅｃｉｆｉｃ）に分けられる。各検索空間におけるＰＤＣＣＨ  ｃａｎｄｉｄａｔｅ数は、表２に示される。
【００１０】
表２：ユーザ機器によるモニタリングのＰＤＣＣＨ  ｃａｎｄｉｄａｔｅｓ
【表２】
2020524462.tif 000004
【００１１】
ここで、アグリゲーションレベルＬ｛１，２，４，８｝の検索空間
【数１】
2020524462.tif 000005
は、複数のＰＤＣＣＨ  ｃａｎｄｉｄａｔｅからなり、１つのＰＤＣＣＨ  ｃａｎｄｉｄａｔｅに対応するＣＣＥ番号は、以下式によって与えられる。
【数２】
2020524462.tif 000006
ここで、ｍ＝０，…，Ｍ（Ｌ）−１。ｉ＝０，…，Ｌ−１。ＮＣＣＥ，Ｋは、サブフレームｋ内のＰＤＣＣＨ搬送用のＣＣＥの数である。Ｙｋは、Ｙｋ＝（Ａ＊Ｙｋ−１）ｍｏｄＤに定義される。ここで、Ｙ−１≠ｎＲＮＴＩ≠０。Ａ＝３９８２７。Ｄ＝６５５３７。ｋ＝ｎｓ／２。ｎｓは、１つの無線フレーム内のｓｌｏｔの番号である。
【００１２】
基地局からＰＤＣＣＨにリソースを割り当てる際に、異なるＰＤＣＣＨの間の衝突を避ける必要がある。すなわち、あるＣＣＥまたは複数のＣＣＥがＰＤＣＣＨに占用されている場合、当該ＣＣＥをほかのＰＤＣＣＨに割り当てない。
【００１３】
ＥＰＤＣＣＨは、サブフレームのデータエリアで伝送され、ＰＤＣＣＨの伝送空間を占用しない。ＰＤＣＣＨのように、ＥＲＥＧとＥＣＣＥの概念が導入されている。以下のように具体的に記載する。
【００１４】
ＥＰＤＣＣＨブラインド検出回数の区分について、プロトコルで取り決められている方式で定義し、シーンに応じてＥ−ＰＤＣＣＨ  ｃａｎｄｉｄａｔｅ区分のテーブルをそれぞれ与える。
【００１５】
ＥＰＤＣＣＨ検索空間は、下記式によって定義される。
【数３】
2020524462.tif 000007
ここで、ｂ＝ｎＣＩ。自搬送波スケジューリングの場合、ｎＣＩ＝０。搬送波間スケジューリングの場合、ｎＣＩは、搬送波指示情報である。
ここで、ｐは、物理リソースブロックセット（ＰＲＢ−ｓｅｔ）である。Ｌは、アグリゲーションレベルである。ｍ＝０，…，
【数４】
2020524462.tif 000008
。ｉ＝０，…，Ｌ−１。
ここで、Ｙｐ，−１≠ｎＲＮＴＩ≠０。Ａ０＝３９８２７。Ａ１＝３９８２９。Ｄ＝６５５３７。ｋ＝ｎｓ／２。
【００１６】
つまり、ＬＴＥシステムにおいて、１つのサブフレームにおける制御エリアのリソース位置について、ＰＤＣＣＨの場合、その制御エリアが１つのサブフレーム内の前からＮ（ＰＣＦＩＣＨによって決められる）個のＯＦＤＭシンボルを占め、周波数領域でスケジューリング帯域幅全体を占めるが、ＥＰＤＣＣＨの場合、その制御エリアがハイレイヤで設定されるＰＲＢ  ｓｅｔによって決められる。
【００１７】
しかし、将来の移動通信システムにおいて、ユーザ機器専用（ＵＥ−ｓｐｅｃｉｆｉｃ）の制御リソースセット（ＣＯＲＥＳＥＴ）は、無線リソース制御シグナリング（ＲＲＣ  ｓｉｇｎａｌｉｎｇ）によって設定される。しかし、端末のＲＲＣ接続が確立されず、接続状態へ移行する際に、そのＵＥ−ｓｐｅｃｉｆｉｃ  ＰＤＣＣＨのリソースセットをどのように特定し、すなわち、一つ目のＲＲＣ  ｓｉｇｎａｌｉｎｇをスケジューリングするＵＥ−ｓｐｅｃｉｆｉｃ  ＰＤＣＣＨのリソースセットをどのように特定することは、現在、明確に提案されていない。そのため、将来の移動通信システムにおいてダウンリンク制御チャネルの伝送リソースの設定が柔軟ではない。
【発明の概要】
【発明が解決しようとする課題】
【００１８】
本開示の一部実施例において、ダウンリンク制御チャネルリソース特定方法、装置、ユーザ機器および基地局を提供し、ＲＲＣ接続が確立されていないユーザ機器に対し、ユーザ機器専用の物理ダウンリンク制御チャネルを伝送するためのリソースセットを、基地局から指示する方式または事前定義方式で設定することができ、リソースを柔軟に設定する効果を達成する。
【課題を解決するための手段】
【００１９】
本開示の一部実施例において、ダウンリンク制御チャネルリソース特定方法を提供する。当該方法において、基地局から送信される指示メッセージを受信し、ユーザ機器専用の物理ダウンリンク制御チャネルを伝送するための第１リソースセットを前記指示メッセージに基づいて特定するステップ、または、プロトコルの定義に基づいて、ユーザ機器専用の物理ダウンリンク制御チャネルを伝送するための第１リソースセットを特定するステップを含む。
【００２０】
ここで、ユーザ機器専用の物理ダウンリンク制御チャネルを伝送するための第１リソースセットを特定するステップの後に、前記方法において、前記ユーザ機器専用の物理ダウンリンク制御チャネルを前記第１リソースセット内で検出するステップをさらに含む。
【００２１】
ここで、前記の前記ユーザ機器専用の物理ダウンリンク制御チャネルを前記第１リソースセット内で検出するステップの後に、前記方法において、前記ユーザ機器がネットワークにアクセスした後の初めての無線リソース制御シグナリングのスケジューリング情報を、検出した前記ユーザ機器専用の物理ダウンリンク制御チャネルで受信するステップと、前記基地局から前記ユーザ機器に設定した専用の物理ダウンリンク制御チャネルの第２リソースセットの設定情報が付帯される前記初めての無線リソース制御シグナリングを、前記初めての無線リソース制御シグナリングのスケジューリング情報に基づいて受信するステップとをさらに含む。
【００２２】
ここで、前記の前記初めての無線リソース制御シグナリングを前記初めての無線リソース制御シグナリングのスケジューリング情報に基づいて受信するステップの後に、前記方法において、受信した前記初めての無線リソース制御シグナリングに付帯される前記第２リソースセットの設定情報に基づいて、前記第２リソースセットを特定するステップと、前記ユーザ機器専用の物理ダウンリンク制御チャネルで伝送される制御情報を前記第２リソースセット内で検出して受信するステップとをさらに含む。
【００２３】
ここで、前記の基地局から送信される指示メッセージを受信し、ユーザ機器専用の物理ダウンリンク制御チャネルを伝送するための第１リソースセットを前記指示メッセージに基づいて特定するステップは、前記ユーザ機器のランダムアクセスプロセスで前記基地局から送信されるメッセージを受信し、当該メッセージに付帯される前記第１リソースセットの指示情報に基づいて前記第１リソースセットを特定することを含む。
【００２４】
ここで、前記の基地局から送信される指示メッセージを受信し、ユーザ機器専用の物理ダウンリンク制御チャネルを伝送するための第１リソースセットを前記指示メッセージに基づいて特定するステップは、システムメッセージのうちＭＩＢ（Ｍａｓｔｅｒ  Ｉｎｆｏｒｍａｔｉｏｎ  Ｂｌｏｃｋ）メッセージ以外のシステムメッセージであるＲＭＳＩメッセージを前記基地局から受信し、前記ＲＭＳＩメッセージに付帯される前記第１リソースセットの指示情報に基づいて前記第１リソースセットを特定するステップを含む。
【００２５】
ここで、前記の基地局から送信される指示メッセージを受信し、ユーザ機器専用の物理ダウンリンク制御チャネルを伝送するための第１リソースセットを前記指示メッセージに基づいて特定するステップは、前記基地局から送信されるＭＩＢメッセージを受信し、前記ＭＩＢメッセージから取得する共通制御チャネル伝送用のリソースセットを前記第１リソースセットに特定するステップを含む。
【００２６】
ここで、前記のプロトコルの定義に基づいて、ユーザ機器専用の物理ダウンリンク制御チャネルを伝送するための第１リソースセットを特定するステップは、プロトコルの定義で、前記ユーザ機器のＲＮＴＩ（Ｒａｄｉｏ  Ｎｅｔｗｏｒｋ  Ｔｅｍｐｏｒａｒｙ  Ｉｄｅｎｔｉｆｉｅｒ）に基づいて前記第１リソースセットの開始位置情報を特定するステップと、前記第１リソースセットの開始位置情報、および予め取得した前記第１リソースセットのサイズに基づいて、前記第１リソースセットを特定するステップとを含む。
【００２７】
ここで、予め取得した前記第１リソースセットのサイズは、前記プロトコルの定義で予め定義され、または、前記ユーザ機器によって、前記ユーザ機器のランダムアクセスプロセスで前記基地局から送信されるメッセージから取得され、または、前記基地局から送信されるＲＭＳＩメッセージまたはＭＩＢメッセージから取得される。ここで、前記ＲＭＳＩメッセージは、システムメッセージのうち、ＭＩＢメッセージ以外のシステムメッセージである。
【００２８】
ここで、前記ユーザ機器のランダムアクセスプロセスで前記基地局から送信されるメッセージは、Ｍｓｇ２またはＭｓｇ４である。
【００２９】
本開示の一部実施例において、ダウンリンク制御チャネルリソース特定方法をさらに提供する。当該方法において、ユーザ機器に対し、前記ユーザ機器専用の物理ダウンリンク制御チャネルを伝送するための第１リソースセットを特定するように前記ユーザ機器に指示するための指示メッセージを送信するステップを含む。
【００３０】
ここで、前記のユーザ機器に対し指示メッセージを送信するステップの後に、前記方法において、前記ユーザ機器がネットワークにアクセスした後の初めての無線リソース制御シグナリングのスケジューリング情報を、前記ユーザ機器によって、特定された前記第１リソースセットで前記ユーザ機器専用の物理ダウンリンク制御チャネルを検出して前記初めての無線リソース制御シグナリングのスケジューリング情報を受信するように、前記ユーザ機器専用の物理ダウンリンク制御チャネルで前記ユーザ機器に送信するステップと、前記ユーザ機器専用の物理ダウンリンク制御チャネルを伝送するための第２リソースセットを前記ユーザ機器に設定するステップと、前記第２リソースセットの設定情報を、前記初めての無線リソース制御シグナリングの付帯情報として前記ユーザ機器に送信するステップとをさらに含む。
【００３１】
ここで、前記の前記第２リソースセットの設定情報を、前記初めての無線リソース制御シグナリングの付帯情報として前記ユーザ機器に送信するステップの後に、前記方法において、前記ユーザ機器専用の物理ダウンリンク制御チャネルでの制御情報を前記第２リソースセット内で伝送するステップをさらに含む。
【００３２】
ここで、前記のユーザ機器に対し指示メッセージを送信するステップは、前記第１リソースセットの指示情報を、前記ユーザ機器のランダムアクセスプロセスで基地局から前記ユーザ機器に送信されるメッセージの付帯情報として前記ユーザ機器に送信するステップを含む。
【００３３】
ここで、前記のユーザ機器に対し指示メッセージを送信するステップは、前記第１リソースセットの指示情報を、システムメッセージのうちＭＩＢメッセージ以外のシステムメッセージであるＲＭＳＩメッセージの付帯情報として前記ユーザ機器に送信するステップを含む。
【００３４】
ここで、前記のユーザ機器に対し指示メッセージを送信するステップは、前記ユーザ機器に対しＭＩＢメッセージを、前記ユーザ機器によって、前記ＭＩＢメッセージから取得する共通制御チャネル伝送用のリソースセットを前記第１リソースセットに特定するように、送信するステップを含む。
【００３５】
ここで、前記方法において、前記第１リソースセットのサイズを、ＲＭＳＩメッセージ、またはＭＩＢメッセージ、または前記ユーザ機器のランダムアクセスプロセスで基地局から送信されるメッセージの付帯情報として、前記ユーザ機器に送信するステップをさらに含む。それによって、前記ユーザ機器は、前記第１リソースセットのサイズ、および、プロトコルの定義で前記ユーザ機器のＲＮＴＩに基づいて特定された前記第１リソースセットの開始位置情報に基づいて、前記第１リソースセットを特定する。
【００３６】
ここで、前記ユーザ機器のランダムアクセスプロセスで基地局から送信されるメッセージは、Ｍｓｇ２またはＭｓｇ４である。
【００３７】
本開示の一部実施例において、ユーザ機器をさらに提供する。当該ユーザ機器は、基地局から送信される指示メッセージを受信し、ユーザ機器専用の物理ダウンリンク制御チャネルを伝送するための第１リソースセットを前記指示メッセージに基づいて特定する第１特定モジュール、または、プロトコルの定義に基づいて、ユーザ機器専用の物理ダウンリンク制御チャネルを伝送するための第１リソースセットを特定する第２特定モジュールを含む。
【００３８】
ここで、前記ユーザ機器は、前記ユーザ機器専用の物理ダウンリンク制御チャネルを前記第１リソースセット内で検出するチャネル検出モジュールをさらに含む。
【００３９】
ここで、前記ユーザ機器は、前記ユーザ機器がネットワークにアクセスした後の初めての無線リソース制御シグナリングのスケジューリング情報を、検出した前記ユーザ機器専用の物理ダウンリンク制御チャネルで受信するスケジューリング情報受信モジュールと、前記基地局から前記ユーザ機器に設定した専用の物理ダウンリンク制御チャネルの第２リソースセットの設定情報が付帯される前記初めての無線リソース制御シグナリングを、前記初めての無線リソース制御シグナリングのスケジューリング情報に基づいて受信するシグナリング受信モジュールとをさらに含む。
【００４０】
ここで、前記ユーザ機器は、受信した前記初めての無線リソース制御シグナリングに付帯される前記第２リソースセットの設定情報に基づいて、前記第２リソースセットを特定する第３特定モジュールと、前記ユーザ機器専用の物理ダウンリンク制御チャネルで伝送される制御情報を前記第２リソースセット内で検出して受信する制御情報受信モジュールとをさらに含む。
【００４１】
ここで、前記第１特定モジュールは、前記ユーザ機器のランダムアクセスプロセスで前記基地局から送信されるメッセージを受信し、当該メッセージに付帯される前記第１リソースセットの指示情報に基づいて前記第１リソースセットを特定する第１受信ユニットを含む。
【００４２】
ここで、前記第１特定モジュールは、システムメッセージのうちＭＩＢメッセージ以外のシステムメッセージであるＲＭＳＩメッセージを前記基地局から受信し、前記ＲＭＳＩメッセージに付帯される前記第１リソースセットの指示情報に基づいて前記第１リソースセットを特定する第２受信ユニットを含む。
【００４３】
ここで、前記第１特定モジュールは、前記基地局から送信されるＭＩＢメッセージを受信し、前記ＭＩＢメッセージから取得する共通制御チャネル伝送用のリソースセットを前記第１リソースセットに特定する第３受信ユニットを含む。
【００４４】
ここで、前記第２特定モジュールは、プロトコルの定義で、前記ユーザ機器のＲＮＴＩに基づいて前記第１リソースセットの開始位置情報を特定する開始位置特定ユニットと、前記第１リソースセットの開始位置情報、および予め取得した前記第１リソースセットのサイズに基づいて、前記第１リソースセットを特定するリソースセット特定ユニットとを含む。
【００４５】
ここで、予め取得した前記第１リソースセットのサイズは、前記プロトコルの定義で予め定義され、または、前記ユーザ機器によって、前記ユーザ機器のランダムアクセスプロセスで前記基地局から送信されるメッセージから取得され、または、前記基地局から送信されるＲＭＳＩメッセージまたはＭＩＢメッセージから取得される。ここで、前記ＲＭＳＩメッセージは、システムメッセージのうち、ＭＩＢメッセージ以外のシステムメッセージである。
【００４６】
ここで、前記ユーザ機器のランダムアクセスプロセスで前記基地局から送信されるメッセージは、Ｍｓｇ２またはＭｓｇ４である。
【００４７】
本開示の一部実施例において、第１メモリ、第１プロセッサ、および前記第１メモリに記憶されて前記第１プロセッサで実行可能なコンピュータプログラムを含むユーザ機器をさらに提供する。前記第１プロセッサが前記プログラムを実行すると、基地局から送信される指示メッセージを受信し、ユーザ機器専用の物理ダウンリンク制御チャネルを伝送するための第１リソースセットを前記指示メッセージに基づいて特定するステップ、または、プロトコルの定義に基づいて、ユーザ機器専用の物理ダウンリンク制御チャネルを伝送するための第１リソースセットを特定するステップが実現される。
【００４８】
本開示の一部実施例において、コンピュータプログラムが記憶されているコンピュータ読み取り可能な記憶媒体をさらに提供する。当該プログラムがプロセッサによって実行されると、基地局から送信される指示メッセージを受信し、ユーザ機器専用の物理ダウンリンク制御チャネルを伝送するための第１リソースセットを前記指示メッセージに基づいて特定するステップ、または、プロトコルの定義に基づいて、ユーザ機器専用の物理ダウンリンク制御チャネルを伝送するための第１リソースセットを特定するステップが実現される。
【００４９】
本開示の一部実施例において、基地局をさらに提供する。当該基地局は、ユーザ機器に対し、前記ユーザ機器専用の物理ダウンリンク制御チャネルを伝送するための第１リソースセットを特定するように前記ユーザ機器に指示するための指示メッセージを送信する指示モジュールを含む。
【００５０】
ここで、前記基地局は、前記ユーザ機器がネットワークにアクセスした後の初めての無線リソース制御シグナリングのスケジューリング情報を、前記ユーザ機器によって、特定された前記第１リソースセットで前記ユーザ機器専用の物理ダウンリンク制御チャネルを検出して前記初めての無線リソース制御シグナリングのスケジューリング情報を受信するように、前記ユーザ機器専用の物理ダウンリンク制御チャネルで前記ユーザ機器に送信するスケジューリング情報送信モジュールと、前記ユーザ機器専用の物理ダウンリンク制御チャネルを伝送するための第２リソースセットを前記ユーザ機器に設定するリソース設定モジュールと、前記第２リソースセットの設定情報を、前記初めての無線リソース制御シグナリングの付帯情報として前記ユーザ機器に送信するシグナリング送信モジュールとをさらに含む。
【００５１】
ここで、前記基地局は、前記ユーザ機器専用の物理ダウンリンク制御チャネルでの制御情報を前記第２リソースセット内で伝送する制御情報伝送モジュールをさらに含む。
【００５２】
ここで、前記指示モジュールは、前記第１リソースセットの指示情報を、前記ユーザ機器のランダムアクセスプロセスで基地局から前記ユーザ機器に送信されるメッセージの付帯情報として前記ユーザ機器に送信する第１送信ユニットを含む。
【００５３】
ここで、前記指示モジュールは、前記第１リソースセットの指示情報を、システムメッセージのうちＭＩＢメッセージ以外のシステムメッセージであるＲＭＳＩメッセージの付帯情報として前記ユーザ機器に送信する第２送信ユニットを含む。
【００５４】
ここで、前記指示モジュールは、前記ユーザ機器に対しＭＩＢメッセージを、前記ユーザ機器によって、前記ＭＩＢメッセージから取得する共通制御チャネル伝送用のリソースセットを前記第１リソースセットに特定するように、送信する第３送信ユニットを含む。
【００５５】
ここで、前記基地局は、前記第１リソースセットのサイズを、ＲＭＳＩメッセージ、またはＭＩＢメッセージ、または前記ユーザ機器のランダムアクセスプロセスで基地局から送信されるメッセージの付帯情報として、前記ユーザ機器に送信するリソースサイズ送信モジュールをさらに含む。それによって、前記ユーザ機器は、前記第１リソースセットのサイズ、および、プロトコルの定義で前記ユーザ機器のＲＮＴＩに基づいて特定された前記第１リソースセットの開始位置情報に基づいて、前記第１リソースセットを特定する。
【００５６】
ここで、前記ユーザ機器のランダムアクセスプロセスで基地局から送信されるメッセージは、Ｍｓｇ２またはＭｓｇ４である。
【００５７】
本開示の一部実施例において、第２メモリ、第２プロセッサ、および前記第２メモリに記憶されて前記第２プロセッサで実行可能なコンピュータプログラムを含む基地局をさらに提供する。前記第２プロセッサが前記プログラムを実行すると、ユーザ機器に対し指示メッセージを送信するステップが実現される。前記指示メッセージは、前記ユーザ機器専用の物理ダウンリンク制御チャネルを伝送するための第１リソースセットを特定するように前記ユーザ機器に指示する。
【００５８】
本開示の一部実施例において、コンピュータプログラムが記憶されているコンピュータ読み取り可能な記憶媒体をさらに提供する。当該プログラムがプロセッサによって実行されると、ユーザ機器に対し指示メッセージを送信するステップが実現される。前記指示メッセージは、前記ユーザ機器専用の物理ダウンリンク制御チャネルを伝送するための第１リソースセットを特定するように前記ユーザ機器に指示する。
【発明の効果】
【００５９】
ＲＲＣ接続が確立されていないユーザ機器の場合、ＲＲＣ接続が完成されていないため、基地局は、ＲＲＣ接続が確立されていないユーザ機器に対し、専用の物理ダウンリンク制御チャネルを伝送するためのリソースセットをＲＲＣシグナリングによって設定することができない。本開示の一部実施例によれば、基地局から指示する方式や事前定義方式によって、ユーザ機器専用の物理ダウンリンク制御チャネルを伝送するためのリソースセットを特定することができる。よって、本開示の一部実施例を応用すれば、ＲＲＣ接続が確立されていないユーザ機器に対し、ユーザ機器専用の物理ダウンリンク制御チャネルを伝送するためのリソースセットを、基地局から指示する方式や事前定義方式によって設定し、リソースの柔軟な設定を実現することができる。
【図面の簡単な説明】
【００６０】
【図１】本開示の一部実施例におけるユーザ機器側のダウンリンク制御チャネルリソース特定方法のフローチャートである。
【図２】本開示の一部実施例における基地局側のダウンリンク制御チャネルリソース特定方法のフローチャートである。
【図３】本開示の一部実施例におけるダウンリンク制御チャネルリソース特定方法が具体的に実施される際の概略図その１である。
【図４】本開示の一部実施例におけるダウンリンク制御チャネルリソース特定方法が具体的に実施される際の概略図その２である。
【図５】本開示の一部実施例におけるダウンリンク制御チャネルリソース特定方法が具体的に実施される際の概略図その３である。
【図６】本開示の一部実施例におけるユーザ機器のモジュール概略図である。
【図７】本開示の一部実施例におけるユーザ機器の構造ブロック図である。
【図８】本開示の一部実施例における基地局のモジュール概略図である。
【図９】本開示の一部実施例における基地局の構造ブロック図である。
【発明を実施するための形態】
【００６１】
本開示の解決しようとする技術課題、技術手段及び利点をより明確にするために、以下、図面および具体的な実施例を通じて詳細に記載する。以下の記載において、本開示の一部実施例に対する全面的理解へのほう助だけの目的で、具体的な設定や構成部品の特定な細部を提供する。よって、本開示の範囲や精神を逸脱することなく、ここに記載の実施例に対し様々な変更や修正を行うことができることは、当業者にとって自明である。また、明確化と簡潔化のために、周知されている機能や構造に関する記載を省略している。
【００６２】
なお、明細書の全文にわたって言及されている「１つの実施例」や「一実施例」とは、実施例に関連する特定の特徴、構造または特性が本開示の少なくとも１つの実施例に含まれることを意味する。従って、明細書の各箇所に記載されている「１つの実施例において」や「一実施例において」とは、必ずしも同一の実施例を指すとは限らない。また、これらの特定の特徴、構造または特性は、任意かつ適切な方式で１つまたは複数の実施例に組み入れられることができる。
【００６３】
本開示の各実施例において、下記各プロセスの番号の大きさは、実行順の前後を意味するのではない。各プロセスの実行順は、その機能および内在的な論理によって確定されるものであり、本開示の実施例の実施プロセスに対しいっさい限定を構成しないと理解すべきである。
【００６４】
また、本文において、「システム」と「ネットワーク」は、常に互換して使用することができる。
【００６５】
本願に提供される実施例において、「Ａに対応するＢ」とは、ＢとＡが関連付けられることを示し、Ａに基づいてＢを確定することができる。なお、Ａに基づいてＢを確定することは、Ａのみに基づいてＢを確定するという意味ではなく、Ａおよび／または他の情報に基づいてＢを確定するのもよい。
【００６６】
具体的に、本開示の一部実施例において、ダウンリンク制御チャネルリソース特定方法を提供することによって、ＲＲＣ接続が確立されていないユーザ機器に対し、専用の物理ダウンリンク制御チャネルを伝送するためのリソースセットを設定することができないという従来技術の問題を解決した。
【００６７】
図１に示すように、本開示の一部実施例において、ダウンリンク制御チャネルリソース特定方法を提供し、具体的に、以下のステップを含む。ステップ１１において、基地局から送信される指示メッセージを受信し、ユーザ機器専用の物理ダウンリンク制御チャネルを伝送するための第１リソースセットを前記指示メッセージに基づいて特定する。または、ステップ１２において、プロトコルの定義に基づいて、ユーザ機器専用の物理ダウンリンク制御チャネルを伝送するための第１リソースセットを特定する。
【００６８】
本開示の実施例におけるダウンリンク制御チャネルリソース特定方法は、ユーザ機器に応用される。ここで、前記ユーザ機器のＲＲＣ接続が確立されていないため、基地局は、ＲＲＣ接続が確立されていない前記ユーザ機器に対し、専用の物理ダウンリンク制御チャネルを伝送するためのリソースセットをＲＲＣシグナリングによって設定することができない。
【００６９】
本開示の一部実施例によれば、基地局から指示する方式や事前定義方式によって、ユーザ機器専用の物理ダウンリンク制御チャネルを伝送するためのリソースセットを特定することができる。よって、本開示の一部実施例を応用すれば、ＲＲＣ接続が確立されていないユーザ機器に対し、ユーザ機器専用の物理ダウンリンク制御チャネルを伝送するためのリソースセットを、基地局から指示する方式や事前定義方式によって設定し、リソースの柔軟な設定を実現することができる。
【００７０】
ここで、前記指示メッセージは、ユーザ機器のＲＲＣ接続が確立される前に、基地局から受信可能なメッセージである。しかも、当該指示メッセージには、ユーザ機器専用の物理ダウンリンク制御チャネルを伝送するための第１リソースセットの指示情報が付帯される。よって、ユーザ機器は、そのＲＲＣ接続が確立される前に受信した指示メッセージに付帯される第１リソースセットの指示情報から、自身の専用物理ダウンリンク制御チャネルを伝送する第１リソースセットを特定することができる。
【００７１】
また、上記プロトコルの定義には、ユーザ機器に設定される専用物理ダウンリンク制御チャネルの第１リソースセットの指示情報を含む。よって、初期設定として、ＲＲＣ接続が確立されていないユーザ機器に対し、プロトコルの定義で規定される第１リソースセットによって、自身の専用物理ダウンリンク制御チャネルを伝送するとする。
【００７２】
さらに、ユーザ機器専用の物理ダウンリンク制御チャネルを伝送するための第１リソースセットを特定した後に、前記方法において、前記ユーザ機器専用の物理ダウンリンク制御チャネルを前記第１リソースセット内で検出することをさらに含む。
【００７３】
すなわち、ＲＲＣ接続が確立されていないユーザ機器に対し、ステップ１１またはステップ１２によって、専用物理ダウンリンク制御チャネルを伝送するための第１リソースセットを特定した後に、自身専用の物理ダウンリンク制御チャネルで伝送される制御情報を当該第１リソースセット内で検出して受信する。それによって、ＲＲＣ接続が確立されていないユーザ機器は、ＲＲＣシグナリングを正しく受信することができる。
【００７４】
ここで、前記ユーザ機器専用の物理ダウンリンク制御チャネルを前記第１リソースセット内で検出するプロセスは、具体的に、以下である。ユーザ機器は、受信希望のダウンリンク制御情報フォーマット（ＤＣＩ  ｆｏｒｍａｔ）に基づいて、前記第１リソースセットのＵＥ−ｓｐｅｃｉｆｉｃ検索空間で自身のＤＣＩをブラインド検出し、受信したＤＣＩに対し、自身のＩＤでスクランブルをかけたＣＲＣに基づいて検査を行う。検査に成功すると、前記ＤＣＩの情報フィールドを解析することによって、前記ＤＣＩに付帯される制御情報を取得する。
【００７５】
さらに、前記の前記ユーザ機器専用の物理ダウンリンク制御チャネルを前記第１リソースセット内で検出するステップの後に、前記方法において、前記ユーザ機器がネットワークにアクセスした後の初めての無線リソース制御シグナリングのスケジューリング情報を、検出した前記ユーザ機器専用の物理ダウンリンク制御チャネルで受信するステップと、前記基地局から前記ユーザ機器に設定した専用の物理ダウンリンク制御チャネルの第２リソースセットの設定情報が付帯される前記初めての無線リソース制御シグナリングを、前記初めての無線リソース制御シグナリングのスケジューリング情報に基づいて受信するステップとをさらに含む。
【００７６】
ここで、ユーザ機器は、ユーザ機器専用の物理ダウンリンク制御チャネルを第１リソースセット内で検出した後に、当該チャネルで伝送される制御情報を受信する。ここで、当該チャネルで伝送される制御情報は、ユーザ機器がネットワークにアクセスした後の初めてのＲＲＣシグナリングをスケジューリングするためのスケジューリング情報を含む。当該スケジューリング情報は、ユーザ機器がネットワークにアクセスした後に基地局から送信される初めてのＲＲＣシグナリングをどのように受信するかを、ユーザ機器に指示する。
【００７７】
また、ユーザ機器がネットワークにアクセスした後に基地局から送信される初めてのＲＲＣシグナリングには、基地局から当該ユーザ機器に対し再度設定した情報であって、当該ユーザ機器専用の物理ダウンリンク制御チャネルを伝送するための第２リソースセットの設定情報が付帯される。よって、ユーザ機器は、受信した初めてのＲＲＣシグナリングのスケジューリング情報に基づいて、初めてのＲＲＣシグナリングに付帯される第２リソースセットの設定情報を取得し、さらに第２リソースセットの設定情報に基づいて第２リソースセットを特定することができる。
【００７８】
上記記載から、ステップ１１またはステップ１２で特定される第１リソースセットは、ユーザ機器がネットワークにアクセスした後に基地局から送信される初めてのＲＲＣシグナリングのスケジューリングにも用いられる。よって、ユーザ機器は、基地局から再度設定される専用の物理ダウンリンク制御チャネルの第２リソースセットを受信することができる。
【００７９】
さらに、前記初めての無線リソース制御シグナリングを前記初めての無線リソース制御シグナリングのスケジューリング情報に基づいて受信するステップの後に、前記方法において、受信した前記初めての無線リソース制御シグナリングに付帯される前記第２リソースセットの設定情報に基づいて、前記第２リソースセットを特定するステップと、前記ユーザ機器専用の物理ダウンリンク制御チャネルで伝送される制御情報を前記第２リソースセット内で検出して受信するステップとをさらに含む。
【００８０】
選択可能に、ステップ１１は、前記ユーザ機器のランダムアクセスプロセスで前記基地局から送信されるメッセージを受信し、当該メッセージに付帯される前記第１リソースセットの指示情報に基づいて前記第１リソースセットを特定することを含む。さらに、前記ユーザ機器のランダムアクセスプロセスで前記基地局から送信されるメッセージは、Ｍｓｇ２またはＭｓｇ４である。
【００８１】
すなわち、ユーザ機器のランダムアクセスプロセスにおいて、基地局は、第１リソースセットの指示情報を、ユーザに送信する１つのメッセージに付帯して、第１リソースセットをユーザ機器に知らせる。
【００８２】
選択可能に、ステップ１１は、システムメッセージのうちＭＩＢメッセージ以外のシステムメッセージであるＲＭＳＩメッセージを前記基地局から受信し、前記ＲＭＳＩメッセージに付帯される前記第１リソースセットの指示情報に基づいて前記第１リソースセットを特定するステップを含む。
【００８３】
ここで、前記ＲＭＳＩメッセージは、すべてのユーザ機器に対し有効である。よって、ＲＭＳＩメッセージで設定される第１リソースセットは、ＲＭＳＩメッセージを正しく受信したすべてのユーザ機器に共有される。
【００８４】
選択可能に、ステップ１１は、前記基地局から送信されるＭＩＢメッセージを受信し、前記ＭＩＢメッセージから取得する共通制御チャネル伝送用のリソースセットを前記第１リソースセットに特定するステップを含む。すなわち、共通制御チャネル伝送用のリソースセットを直接第１リソースセットとして用いることができる。
【００８５】
選択可能に、ステップ１２は、プロトコルの定義で、前記ユーザ機器のＲＮＴＩに基づいて前記第１リソースセットの開始位置情報を特定するステップと、前記第１リソースセットの開始位置情報、および予め取得した前記第１リソースセットのサイズに基づいて、前記第１リソースセットを特定するステップとを含む。
【００８６】
ここで、事前のプロトコルの定義では、各ユーザのＲＮＴＩに応じて各ユーザ機器の第１リソースセットの開始位置を区分する。それによって、ユーザ機器は、直接、自身のＲＮＴＩに基づいて、自身の第１リソースセットの開始位置をプロトコルの定義から見つけることができる。さらに、予め取得される第１リソースセットのサイズと関連付けて前記第１リソースセットを特定する。
【００８７】
また、予め取得した前記第１リソースセットのサイズは、前記プロトコルの定義で予め定義され、または、前記ユーザ機器によって、前記ユーザ機器のランダムアクセスプロセスで前記基地局から送信されるメッセージから取得され、または、前記基地局から送信されるＲＭＳＩメッセージまたはＭＩＢメッセージから取得される。ここで、前記ＲＭＳＩメッセージは、システムメッセージのうち、ＭＩＢメッセージ以外のシステムメッセージである。さらに、前記ユーザ機器のランダムアクセスプロセスで前記基地局から送信されるメッセージは、Ｍｓｇ２またはＭｓｇ４である。
【００８８】
すなわち、前記第１リソースセットのサイズは、事前定義方式で決められてもよく、明示的シグナリングの方式でユーザ機器に通知されてもよい。当該明示的シグナリングの具体的な方式として、Ｍｓｇ２、Ｍｓｇ４、ＲＭＳＩメッセージ、ＭＩＢメッセージのうちのいずれか一つが用いられる。
【００８９】
以上の記載をまとめると、ユーザ機器専用の物理ダウンリンク制御チャネルを伝送するための第１リソースセットの特定方式は、プロトコルで定義され、または明示的シグナリングの方式が用いられる。ここで、当該明示的シグナリングの具体的な方式として、Ｍｓｇ２、Ｍｓｇ４、ＲＭＳＩメッセージ、ＭＩＢメッセージのうちのいずれか一つが用いられる。本開示の実施例において、ユーザ機器専用の物理ダウンリンク制御チャネルを伝送するための第１リソースセットの特定方式は、非常に柔軟であることが分かる。
【００９０】
図２に示すように、本開示の一部実施例において、ダウンリンク制御チャネルリソース特定方法をさらに提供する。具体的に、以下のステップを含む。ステップ２１において、ユーザ機器に対し、前記ユーザ機器専用の物理ダウンリンク制御チャネルを伝送するための第１リソースセットを特定するように前記ユーザ機器に指示するための指示メッセージを送信する。
【００９１】
本開示の実施例におけるダウンリンク制御チャネルリソース特定方法は、基地局に応用される。ここで、ＲＲＣ接続が確立されていないユーザ機器に対し、基地局は、ＲＲＣ接続が確立されていないユーザ機器に対し専用の物理ダウンリンク制御チャネルを伝送するためのリソースセットをＲＲＣシグナリングによって設定することができない。
【００９２】
本開示の一部実施例によれば、基地局は、指示方式によって、ユーザ機器専用の物理ダウンリンク制御チャネルを伝送するためのリソースセットを特定することができる。よって、本開示の一部実施例を応用すれば、ＲＲＣ接続が確立されていないユーザ機器に対し、ユーザ機器専用の物理ダウンリンク制御チャネルを伝送するためのリソースセットを基地局から指示する方式によって設定し、リソースの柔軟な設定を実現することができる。
【００９３】
ここで、前記指示メッセージは、ユーザ機器が接続状態に移行する前に基地局から受信可能なメッセージである。しかも、当該指示メッセージには、ユーザ機器専用の物理ダウンリンク制御チャネルを伝送するための第１リソースセットの指示情報が付帯される。よって、ユーザ機器は、ＲＲＣ接続が確立されていなくても、接続状態に移行する前に受信した指示メッセージに付帯される第１リソースセットの指示情報から、自身の専用の物理ダウンリンク制御チャネルを伝送する第１リソースセットを特定することができる。
【００９４】
さらに、ステップ２１の後に、前記ユーザ機器がネットワークにアクセスした後の初めての無線リソース制御シグナリングのスケジューリング情報を、前記ユーザ機器によって、特定された前記第１リソースセットで前記ユーザ機器専用の物理ダウンリンク制御チャネルを検出して前記初めての無線リソース制御シグナリングのスケジューリング情報を受信するように、前記ユーザ機器専用の物理ダウンリンク制御チャネルで前記ユーザ機器に送信するステップと、前記ユーザ機器専用の物理ダウンリンク制御チャネルを伝送するための第２リソースセットを前記ユーザ機器に設定するステップと、前記第２リソースセットの設定情報を、前記初めての無線リソース制御シグナリングの付帯情報として前記ユーザ機器に送信するステップとをさらに含む。
【００９５】
ここで、ユーザ機器は、基地局から送信される指示メッセージに基づいて、自身の専用の物理ダウンリンク制御チャネルを伝送するための第１リソースセットを特定した後に、自身の専用の物理ダウンリンク制御チャネルで伝送される制御情報を当該第１リソースセット内で検出して受信する。それによって、ユーザ機器は、ユーザ機器がネットワークにアクセスした後の初めての無線リソース制御シグナリングをスケジューリングするためのスケジューリング情報を当該制御情報から取得し、さらに、当該スケジューリング情報に基づいて、基地局からユーザ機器に再度設定したユーザ機器専用の物理ダウンリンク制御チャネルを伝送するための第２リソースセットの設定情報が付帯される初めてのＲＲＣシグナリングを基地局から受信する。
【００９６】
上記記載から、ステップ２１で基地局からユーザ機器に指示される第１リソースセットは、ユーザ機器がネットワークにアクセスした後に基地局から送信される初めてのＲＲＣシグナリングのスケジューリングにも用いられる。よって、ユーザ機器は、基地局から再度設定される専用の物理ダウンリンク制御チャネルの第２リソースセットを受信することができる。
【００９７】
さらに、前記の前記第２リソースセットの設定情報を、前記初めての無線リソース制御シグナリングの付帯情報として前記ユーザ機器に送信するステップの後に、前記方法において、前記ユーザ機器専用の物理ダウンリンク制御チャネルでの制御情報を前記第２リソースセット内で伝送するステップをさらに含む。
【００９８】
選択可能に、ステップ２１は、前記第１リソースセットの指示情報を、前記ユーザ機器のランダムアクセスプロセスで基地局から前記ユーザ機器に送信されるメッセージの付帯情報として前記ユーザ機器に送信するステップを含む。さらに、前記ユーザ機器のランダムアクセスプロセスで基地局から送信されるメッセージは、Ｍｓｇ２またはＭｓｇ４である。
【００９９】
すなわち、ユーザ機器のランダムアクセスプロセスにおいて、基地局は、第１リソースセットの指示情報を、ユーザに送信する１つのメッセージに付帯して、第１リソースセットをユーザ機器に知らせる。
【０１００】
選択可能に、ステップ２１は、前記第１リソースセットの指示情報を、システムメッセージのうちＭＩＢメッセージ以外のシステムメッセージであるＲＭＳＩメッセージの付帯情報として前記ユーザ機器に送信するステップを含む。
【０１０１】
ここで、前記ＲＭＳＩメッセージは、すべてのユーザ機器に対し有効である。よって、ＲＭＳＩメッセージで設定される第１リソースセットは、ＲＭＳＩメッセージを正しく受信したすべてのユーザ機器に共有される。
【０１０２】
選択可能に、ステップ２１は、前記ユーザ機器に対しＭＩＢメッセージを送信するステップを含む。よって、前記ユーザ機器は、前記ＭＩＢメッセージから取得する共通制御チャネル伝送用のリソースセットを前記第１リソースセットに特定する。すなわち、基地局から、共通制御チャネル伝送用のリソースセットをＭＩＢメッセージによってユーザ機器に知らせることによって、ユーザ機器は、共通制御チャネル伝送用のリソースセットを直接第１リソースセットとして用いることができる。
【０１０３】
選択可能に、前記方法において、前記第１リソースセットのサイズを、ＲＭＳＩメッセージ、またはＭＩＢメッセージ、または前記ユーザ機器のランダムアクセスプロセスで基地局から送信されるメッセージの付帯情報として、前記ユーザ機器に送信するステップをさらに含む。それによって、前記ユーザ機器が、前記第１リソースセットのサイズ、および、プロトコルの定義で前記ユーザ機器のＲＮＴＩに基づいて特定された前記第１リソースセットの開始位置情報に基づいて、前記第１リソースセットを特定する。ここで、前記ユーザ機器のランダムアクセスプロセスで基地局から送信されるメッセージは、Ｍｓｇ２またはＭｓｇ４である。
【０１０４】
すなわち、ユーザ機器専用の物理ダウンリンク制御チャネルを伝送するための第１リソースセットについて、ユーザ機器は、プロトコルの定義の方式で特定してもよい。ここで、事前のプロトコルの定義では、各ユーザのＲＮＴＩに応じて各ユーザ機器の第１リソースセットの開始位置を区分する。それによって、ユーザ機器は、直接、自身のＲＮＴＩに基づいて、自身の第１リソースセットの開始位置をプロトコルの定義から見つけることができる。さらに、予め取得される第１リソースセットのサイズに関連付けて前記第１リソースセットを特定する。
【０１０５】
ここで、第１リソースセットのサイズは、基地局から明示的シグナリングの方式でユーザ機器に通知される。すなわち、基地局は、前記第１リソースセットのサイズを、ＲＭＳＩメッセージ、またはＭＩＢメッセージ、または前記ユーザ機器のランダムアクセスプロセスで基地局から送信されるメッセージの付帯情報として前記ユーザ機器に送信する。
【０１０６】
以上の記載をまとめると、ユーザ機器専用の物理ダウンリンク制御チャネルを伝送するための第１リソースセットの特定方式は、基地局から明示的シグナリングで通知される方式が用いられる。ここで、当該明示的シグナリングの具体的な方式として、Ｍｓｇ２、Ｍｓｇ４、ＲＭＳＩメッセージ、ＭＩＢメッセージのうちのいずれか一つが用いられる。本開示の実施例において、ユーザ機器専用の物理ダウンリンク制御チャネルを伝送するための第１リソースセットの特定方式は、非常に柔軟であることが分かる。
【０１０７】
上記実施例１と実施例２によれば、本開示の実施例におけるダウンリンク制御チャネルリソース特定方法の具体的な実施形態は、以下の４種類を含む。
【０１０８】
種類１：図３に示すように、基地局は、ユーザ機器専用の物理ダウンリンク制御チャネル（ＵＥ−ｓｐｅｃｉｆｉｃ  ＰＤＣＣＨ）を伝送するための第１リソースセットの指示情報を、ランダムアクセスプロセスでのＭｓｇ２またはＭｓｇ４に付帯する。それによって、ユーザ機器は、Ｍｓｇ２またはＭｓｇ４を正しく受信すると、その中に付帯される第１リソースセットを取得することができる。ここで、ユーザ機器は、ＲＲＣシグナリングを正しく受信する前に、ＵＥ−ｓｐｅｃｉｆｉｃ  ＰＤＣＣＨを第１リソースセット内で検出して受信する必要がある。それによって、ユーザ機器は、ユーザ機器がネットワークにアクセスした後に基地局から送信される初めてのＲＲＣシグナリングのスケジューリング情報をＵＥ−ｓｐｅｃｉｆｉｃ  ＰＤＣＣＨ内で受信し、さらに当該スケジューリング情報に基づいてＲＲＣシグナリングを受信することができる。ここで、端末は、接続状態に移行しかつ基地局から送信されるＲＲＣシグナリングを正しく受信すると、ＲＲＣシグナリングに付帯される第２リソースセットに応じてＵＥ−ｓｐｅｃｉｆｉｃ  ＰＤＣＣＨを検出して受信する。
【０１０９】
ここで、接続状態のユーザ機器のＵＥ−ｓｐｅｃｉｆｉｃ  ＰＤＣＣＨのリソースセットは、ＲＲＣシグナリングによって設定されるが、ＲＲＣシグナリングは、ＵＥ−ｓｐｅｃｉｆｉｃ  ＰＤＣＣＨによってスケジューリングを行う必要がある。よって、基地局側は、基地局が初めてのＲＲＣシグナリングをスケジューリングするＵＥ−ｓｐｅｃｉｆｉｃ  ＰＤＣＣＨが伝送されるリソースセット（すなわち第１リソースセット）をほかの方式で通知する必要がある。本開示の一部実施例において、基地局は、初めてのＲＲＣシグナリングをスケジューリングするＵＥ−ｓｐｅｃｉｆｉｃ  ＰＤＣＣＨが伝送されるリソースセット（すなわち第１リソースセット）をＭｓｇ２またはＭｓｇ４によって通知する。
【０１１０】
種類２：図４に示すように、基地局は、ＵＥ−ｓｐｅｃｉｆｉｃ  ＰＤＣＣＨ伝送用の第１リソースセットをＲＭＳＩメッセージによって設定する。ユーザ機器は、接続状態に移行する前に、ＲＭＳＩによって設定される第１リソースセット内で自身のＵＥ−ｓｐｅｃｉｆｉｃ  ＰＤＣＣＨを検出して受信する。前記ＲＭＳＩがすべてのユーザ機器に有効であるため、ＲＭＳＩによって設定される第１リソースセットは、ＲＭＳＩを正しく受信したすべてのユーザ機器に共有される。ユーザ機器は、接続状態に移行し、第１リソースセットで検出したＵＥ−ｓｐｅｃｉｆｉｃ  ＰＤＣＣＨで受信した初めてのＲＲＣシグナリングのスケジューリング情報に基づいて、ＲＲＣシグナリングを正しく受信した後に、ＲＲＣシグナリングで設定される第２リソースセットに応じて、ＵＥ−ｓｐｅｃｉｆｉｃ  ＰＤＣＣＨを検出して受信する。
【０１１１】
種類３：基地局は、共通ダウンリンク制御チャネル伝送用のリソースセットをＭＩＢメッセージによってユーザ機器に通知する。それによって、ユーザ機器は、当該リソースセットをＵＥ−ｓｐｅｃｉｆｉｃ  ＰＤＣＣＨ伝送用の第１リソースセットとし、当該第１リソースセット内でＵＥ−ｓｐｅｃｉｆｉｃ  ＰＤＣＣＨを検出し、基地局からＵＥ−ｓｐｅｃｉｆｉｃ  ＰＤＣＣＨによるユーザ機器のＲＲＣシグナリングのスケジューリンに基づいて、基地局から送信されるＲＲＣシグナリングを受信する。すなわち、ユーザ機器は、接続状態に移行し、ＲＲＣシグナリングを正しく受信する前に、ＭＩＢによって設定される共通ダウンリンク制御チャネル伝送用のリソースセット内で、一つ目のＲＲＣ  ｓｉｇｎａｌｉｎｇをスケジューリングするＵＥ−ｓｐｅｃｉｆｉｃ  ＰＤＣＣＨを検出して受信する。
【０１１２】
ユーザ機器は、接続状態に移行しかつ基地局から送信されるＲＲＣシグナリングを受信した後に、ＲＲＣシグナリングに付帯される第２リソースセットに応じてＵＥ−ｓｐｅｃｉｆｉｃ  ＰＤＣＣＨを検出して受信する。
【０１１３】
種類４：図５に示すように、ユーザ機器は、接続状態に移行し、ＲＲＣシグナリングを正しく受信する前に、事前定義方式によって特定される第１リソースセット内でＵＥ−ｓｐｅｃｉｆｉｃ  ＰＤＣＣＨを検出して受信する。それによって、ユーザ機器は、基地局からＵＥ−ｓｐｅｃｉｆｉｃ  ＰＤＣＣＨによるユーザ機器のＲＲＣシグナリングのスケジューリンに基づいて、基地局から送信されるＲＲＣシグナリングを受信する。ユーザ機器は、接続状態に移行しかつ基地局から送信されるＲＲＣシグナリングを受信した後に、ＲＲＣシグナリングに付帯される第２リソースセットに応じてＵＥ−ｓｐｅｃｉｆｉｃ  ＰＤＣＣＨを検出して受信する。
【０１１４】
ここで、第１リソースセットの開始位置は、ユーザ機器のＲＮＴＩによって決められる。第１リソースセットのサイズは、明示的シグナリングの方式で通知されてもよく、プロトコル定義方式で決められてもよい。ここで、第１リソースセットには、少なくとも１つの制御リソースセット（ＣＯＲＥＳＥＴ）を含む。
【０１１５】
本開示の一部実施例において、ユーザ機器をさらに提供する。図６に示すように、当該ユーザ機器６００は、基地局から送信される指示メッセージを受信し、ユーザ機器専用の物理ダウンリンク制御チャネルを伝送するための第１リソースセットを前記指示メッセージに基づいて特定する第１特定モジュール６０１、または、プロトコルの定義に基づいて、ユーザ機器専用の物理ダウンリンク制御チャネルを伝送するための第１リソースセットを特定する第２特定モジュール６０２を含む。
【０１１６】
選択可能に、前記ユーザ機器６００は、前記ユーザ機器専用の物理ダウンリンク制御チャネルを前記第１リソースセット内で検出するチャネル検出モジュールをさらに含む。
【０１１７】
選択可能に、前記ユーザ機器６００は、前記ユーザ機器がネットワークにアクセスした後の初めての無線リソース制御シグナリングのスケジューリング情報を、検出した前記ユーザ機器専用の物理ダウンリンク制御チャネルで受信するスケジューリング情報受信モジュールと、前記基地局から前記ユーザ機器に設定した専用の物理ダウンリンク制御チャネルの第２リソースセットの設定情報が付帯される前記初めての無線リソース制御シグナリングを、前記初めての無線リソース制御シグナリングのスケジューリング情報に基づいて受信するシグナリング受信モジュールとをさらに含む。
【０１１８】
選択可能に、前記ユーザ機器６００は、受信した前記初めての無線リソース制御シグナリングに付帯される前記第２リソースセットの設定情報に基づいて、前記第２リソースセットを特定する第３特定モジュールと、前記ユーザ機器専用の物理ダウンリンク制御チャネルで伝送される制御情報を前記第２リソースセット内で検出して受信する制御情報受信モジュールとをさらに含む。
【０１１９】
選択可能に、前記第１特定モジュールは、前記ユーザ機器のランダムアクセスプロセスで前記基地局から送信されるメッセージを受信し、当該メッセージに付帯される前記第１リソースセットの指示情報に基づいて前記第１リソースセットを特定する第１受信ユニットを含む。
【０１２０】
選択可能に、前記第１特定モジュールは、システムメッセージのうちＭＩＢメッセージ以外のシステムメッセージであるＲＭＳＩメッセージを前記基地局から受信し、前記ＲＭＳＩメッセージに付帯される前記第１リソースセットの指示情報に基づいて前記第１リソースセットを特定する第２受信ユニットを含む。
【０１２１】
選択可能に、前記第１特定モジュールは、前記基地局から送信されるＭＩＢメッセージを受信し、前記ＭＩＢメッセージから取得する共通制御チャネル伝送用のリソースセットを前記第１リソースセットに特定する第３受信ユニットを含む。
【０１２２】
選択可能に、前記第２特定モジュールは、プロトコルの定義で、前記ユーザ機器のＲＮＴＩに基づいて前記第１リソースセットの開始位置情報を特定する開始位置特定ユニットと、前記第１リソースセットの開始位置情報、および予め取得した前記第１リソースセットのサイズに基づいて、前記第１リソースセットを特定するリソースセット特定ユニットとを含む。
【０１２３】
選択可能に、予め取得した前記第１リソースセットのサイズは、前記プロトコルの定義で予め定義され、または、前記ユーザ機器によって、前記ユーザ機器のランダムアクセスプロセスで前記基地局から送信されるメッセージから取得され、または、前記基地局から送信されるＲＭＳＩメッセージまたはＭＩＢメッセージから取得される。ここで、前記ＲＭＳＩメッセージは、システムメッセージのうち、ＭＩＢメッセージ以外のシステムメッセージである。
【０１２４】
選択可能に、前記ユーザ機器のランダムアクセスプロセスで前記基地局から送信されるメッセージは、Ｍｓｇ２またはＭｓｇ４である。
【０１２５】
ここで、ユーザ機器に含まれる上記モジュールとユニットについて、各モジュールとユニットに有する機能は、同一のエンティティによって実現されてもよく、異なるエンティティによって実現されてもよい。
【０１２６】
ここで、ＲＲＣ接続が確立されていないユーザ機器の場合、ＲＲＣ接続が完成されていないため、基地局は、ＲＲＣ接続が確立されていないユーザ機器に対し、専用の物理ダウンリンク制御チャネルを伝送するためのリソースセットをＲＲＣシグナリングによって設定することができない。本開示の一部実施例によれば、基地局から指示する方式や事前定義方式によって、ユーザ機器専用の物理ダウンリンク制御チャネルを伝送するためのリソースセットを特定することができる。よって、本開示の一部実施例を応用すれば、ＲＲＣ接続が確立されていないユーザ機器に対し、ユーザ機器専用の物理ダウンリンク制御チャネルを伝送するためのリソースセットを、基地局から指示する方式や事前定義方式によって設定し、リソースの柔軟な設定を実現することができる。
【０１２７】
上記目的をさらに実現するために、図７に示すように、本開示は、ユーザ機器をさらに提供する。当該ユーザ機器は、第１プロセッサ７１０と、バスインタフェース７２０を介して前記第１プロセッサ７１０に接続され、前記第１プロセッサ７１０による操作実行に用いられるプログラムとデータを記憶する第１メモリ７３０と、バスインタフェース７２０を介して前記第１プロセッサ７１０に接続され、第１プロセッサ７１０による制御でデータを送受信する第１トランシーバ７４０を含む。第１プロセッサ７１０は、前記第１メモリ７３０に記憶されているプログラムとデータを呼び出して実行すると、基地局から送信される指示メッセージを受信し、ユーザ機器専用の物理ダウンリンク制御チャネルを伝送するための第１リソースセットを前記指示メッセージに基づいて特定するプロセス、または、プロトコルの定義に基づいて、ユーザ機器専用の物理ダウンリンク制御チャネルを伝送するための第１リソースセットを特定するプロセスを実行する。
【０１２８】
ここで、第１プロセッサ７１０は、ユーザ機器専用の物理ダウンリンク制御チャネルを伝送するための第１リソースセットを特定した後に、さらに、前記ユーザ機器専用の物理ダウンリンク制御チャネルを前記第１リソースセット内で検出する。
【０１２９】
ここで、第１プロセッサ７１０は、前記の前記ユーザ機器専用の物理ダウンリンク制御チャネルを前記第１リソースセット内で検出した後に、さらに、前記ユーザ機器がネットワークにアクセスした後の初めての無線リソース制御シグナリングのスケジューリング情報を、検出した前記ユーザ機器専用の物理ダウンリンク制御チャネルで受信する。さらに、前記基地局から前記ユーザ機器に設定した専用の物理ダウンリンク制御チャネルの第２リソースセットの設定情報が付帯される前記初めての無線リソース制御シグナリングを、前記初めての無線リソース制御シグナリングのスケジューリング情報に基づいて受信する。
【０１３０】
ここで、第１プロセッサ７１０は、前記の前記初めての無線リソース制御シグナリングを前記初めての無線リソース制御シグナリングのスケジューリング情報に基づいて受信した後に、さらに、受信した前記初めての無線リソース制御シグナリングに付帯される前記第２リソースセットの設定情報に基づいて、前記第２リソースセットを特定する。さらに、前記ユーザ機器専用の物理ダウンリンク制御チャネルで伝送される制御情報を前記第２リソースセット内で検出して受信する。
【０１３１】
ここで、第１プロセッサ７１０は、前記の基地局から送信される指示メッセージを受信し、ユーザ機器専用の物理ダウンリンク制御チャネルを伝送するための第１リソースセットを前記指示メッセージに基づいて特定する際に、具体的に、前記ユーザ機器のランダムアクセスプロセスで前記基地局から送信されるメッセージを受信し、当該メッセージに付帯される前記第１リソースセットの指示情報に基づいて前記第１リソースセットを特定する。
【０１３２】
ここで、第１プロセッサ７１０は、前記の基地局から送信される指示メッセージを受信し、ユーザ機器専用の物理ダウンリンク制御チャネルを伝送するための第１リソースセットを前記指示メッセージに基づいて特定する際に、具体的に、システムメッセージのうちＭＩＢメッセージ以外のシステムメッセージであるＲＭＳＩメッセージを前記基地局から受信し、前記ＲＭＳＩメッセージに付帯される前記第１リソースセットの指示情報に基づいて前記第１リソースセットを特定する。
【０１３３】
ここで、第１プロセッサ７１０は、前記の基地局から送信される指示メッセージを受信し、ユーザ機器専用の物理ダウンリンク制御チャネルを伝送するための第１リソースセットを前記指示メッセージに基づいて特定する際に、具体的に、前記基地局から送信されるＭＩＢメッセージを受信し、前記ＭＩＢメッセージから取得する共通制御チャネル伝送用のリソースセットを前記第１リソースセットに特定する。
【０１３４】
ここで、第１プロセッサ７１０は、前記のプロトコルの定義に基づいて、ユーザ機器専用の物理ダウンリンク制御チャネルを伝送するための第１リソースセットを特定する際に、具体的に、プロトコルの定義で、前記ユーザ機器のＲＮＴＩに基づいて前記第１リソースセットの開始位置情報を特定する。さらに、前記第１リソースセットの開始位置情報、および予め取得した前記第１リソースセットのサイズに基づいて、前記第１リソースセットを特定する。
【０１３５】
ここで、予め取得した前記第１リソースセットのサイズは、前記プロトコルの定義で予め定義され、または、前記ユーザ機器によって、前記ユーザ機器のランダムアクセスプロセスで前記基地局から送信されるメッセージから取得され、または、前記基地局から送信されるＲＭＳＩメッセージまたはＭＩＢメッセージから取得される。ここで、前記ＲＭＳＩメッセージは、システムメッセージのうち、ＭＩＢメッセージ以外のシステムメッセージである。
【０１３６】
ここで、前記ユーザ機器のランダムアクセスプロセスで前記基地局から送信されるメッセージは、Ｍｓｇ２またはＭｓｇ４である。
【０１３７】
なお、図７において、バスアーキテクチャは、任意数の相互接続するバスとブリッジを含み、具体的に、第１プロセッサ７１０をはじめとする１つ又は複数のプロセッサと第１メモリ７３０をはじめとするメモリの各種類の回路が接続したものである。バスアーキテクチャは、周辺イクイップメント、レギュレーター、電力管理回路などの各種類のほかの回路を接続したものであってもよい。これらは、いずれも本分野の公知事項であり、本文においてさらなる記載をしない。バスインタフェースにより、インタフェースが提供される。第１トランシーバ７４０は、複数の部品であってもよく、即ち送信機と受信機を含み、伝送媒体でほかの各種類の装置と通信するユニットとして提供される。ユーザ端末によっては、ユーザインタフェース７５０は、内部接続や外部接続する機器のインタフェースであってもよい。接続する機器は、キーパッド、ディスプレイ、スピーカ、マイクロフォン、ジョイスティックなどを含むが、それらに限られない。第１プロセッサ７１０は、バスアーキテクチャと通常の処理を管理する。第１メモリ７３０は、第１プロセッサ７１０による操作実行に使用されるデータを記憶できる。
【０１３８】
上記実施例を実現するすべてまたは一部のステップは、ハードウェアによって実現されてもよく、コンピュータプログラムで関連ハードウェアに指示して行ってもよい。前記コンピュータプログラムは、上記方法の一部またはすべてのステップを実行する指令を含む。かつ当該コンピュータプログラムは、読み取り可能な記憶媒体に記憶される。記憶媒体は、あらゆる形態の記憶媒体である。
【０１３９】
また、本開示の装置と方法において、各部品または各ステップは、明らかに、分解および／または再度の組み合わせが可能である。これらの分解および／または再度の組み合わせは、本開示の同等効果手段と見なされるべきである。しかも、上記一連の処理を実行するステップは、自然に説明順に時間順で実行されるが、必ず時間順に実行される必要がない。一部のステップは、並行に実行されてもよく、または、互いに独立に実行されてもよい。当業者にとって、本開示の方法および装置のすべてまたは任意のステップや部品は、任意の計算装置（プロセッサ、記憶媒体などを含む）や計算装置のネットワークでハードウェア、ファームウェア、ソフトウェアまたはそれらの組み合わせによって実現されうることが理解できる。これは、当業者が本開示の説明を閲読して基本的なプログラミング技能を活用して実現できることである。
【０１４０】
したがって、本開示の目的は、任意の計算装置で１つまたは一連のプログラムを実行することによっても実現されうる。前記計算装置は、周知されている汎用装置である。したがって、本開示の目的は、前記方法または装置を実現するプログラムコードを含むプログラムプロダクトの提供のみでも実現されうる。すなわち、このようなプログラムプロダクトも本開示を構成し、しかもこのようなプログラムプロダクトを記憶した記憶媒体も本開示を構成する。明らかに、前記記憶媒体は、任意の周知される記憶媒体または将来開発されうる任意の記憶媒体である。なお、本開示の装置と方法において、各部品または各ステップは、分解および／または再度の組み合わせが可能である。これらの分解および／または再度の組み合わせは、本開示の同等効果手段と見なされるべきである。しかも、上記一連の処理を実行するステップは、自然に説明順に時間順で実行されるが、必ず時間順に実行される必要がない。一部のステップは、並行に実行されてもよく、または、互いに独立に実行されてもよい。
【０１４１】
本開示の一部実施例において、コンピュータプログラムが記憶されているコンピュータ読み取り可能な記憶媒体をさらに提供する。当該プログラムがプロセッサによって実行されると、基地局から送信される指示メッセージを受信し、ユーザ機器専用の物理ダウンリンク制御チャネルを伝送するための第１リソースセットを前記指示メッセージに基づいて特定するステップ、または、プロトコルの定義に基づいて、ユーザ機器専用の物理ダウンリンク制御チャネルを伝送するための第１リソースセットを特定するステップが実現される。
【０１４２】
ここで、ユーザ機器専用の物理ダウンリンク制御チャネルを伝送するための第１リソースセットを特定した後に、上記プログラムがプロセッサによって実行されると、さらに、前記ユーザ機器専用の物理ダウンリンク制御チャネルを前記第１リソースセット内で検出するステップが実現される。
【０１４３】
ここで、前記の前記ユーザ機器専用の物理ダウンリンク制御チャネルを前記第１リソースセット内で検出するステップの後に、上記プログラムがプロセッサによって実行されると、さらに、前記ユーザ機器がネットワークにアクセスした後の初めての無線リソース制御シグナリングのスケジューリング情報を、検出した前記ユーザ機器専用の物理ダウンリンク制御チャネルで受信するステップと、前記基地局から前記ユーザ機器に設定した専用の物理ダウンリンク制御チャネルの第２リソースセットの設定情報が付帯される前記初めての無線リソース制御シグナリングを、前記初めての無線リソース制御シグナリングのスケジューリング情報に基づいて受信するステップとが実現される。
【０１４４】
ここで、前記の前記初めての無線リソース制御シグナリングを前記初めての無線リソース制御シグナリングのスケジューリング情報に基づいて受信するステップの後に、上記プログラムがプロセッサによって実行されると、さらに、受信した前記初めての無線リソース制御シグナリングに付帯される前記第２リソースセットの設定情報に基づいて、前記第２リソースセットを特定するステップと、前記ユーザ機器専用の物理ダウンリンク制御チャネルで伝送される制御情報を前記第２リソースセット内で検出して受信するステップとが実現される。
【０１４５】
ここで、前記の基地局から送信される指示メッセージを受信し、ユーザ機器専用の物理ダウンリンク制御チャネルを伝送するための第１リソースセットを前記指示メッセージに基づいて特定するステップは、前記ユーザ機器のランダムアクセスプロセスで前記基地局から送信されるメッセージを受信し、当該メッセージに付帯される前記第１リソースセットの指示情報に基づいて前記第１リソースセットを特定することを含む。
【０１４６】
ここで、前記の基地局から送信される指示メッセージを受信し、ユーザ機器専用の物理ダウンリンク制御チャネルを伝送するための第１リソースセットを前記指示メッセージに基づいて特定するステップは、システムメッセージのうちＭＩＢメッセージ以外のシステムメッセージであるＲＭＳＩメッセージを前記基地局から受信し、前記ＲＭＳＩメッセージに付帯される前記第１リソースセットの指示情報に基づいて前記第１リソースセットを特定するステップを含む。
【０１４７】
ここで、前記の基地局から送信される指示メッセージを受信し、ユーザ機器専用の物理ダウンリンク制御チャネルを伝送するための第１リソースセットを前記指示メッセージに基づいて特定するステップは、前記基地局から送信されるＭＩＢメッセージを受信し、前記ＭＩＢメッセージから取得する共通制御チャネル伝送用のリソースセットを前記第１リソースセットに特定するステップを含む。
【０１４８】
ここで、前記のプロトコルの定義に基づいて、ユーザ機器専用の物理ダウンリンク制御チャネルを伝送するための第１リソースセットを特定するステップは、プロトコルの定義で、前記ユーザ機器のＲＮＴＩに基づいて前記第１リソースセットの開始位置情報を特定するステップと、前記第１リソースセットの開始位置情報、および予め取得した前記第１リソースセットのサイズに基づいて、前記第１リソースセットを特定するステップとを含む。
【０１４９】
ここで、予め取得した前記第１リソースセットのサイズは、前記プロトコルの定義で予め定義され、または、前記ユーザ機器によって、前記ユーザ機器のランダムアクセスプロセスで前記基地局から送信されるメッセージから取得され、または、前記基地局から送信されるＲＭＳＩメッセージまたはＭＩＢメッセージから取得される。ここで、前記ＲＭＳＩメッセージは、システムメッセージのうち、ＭＩＢメッセージ以外のシステムメッセージである。
【０１５０】
ここで、前記ユーザ機器のランダムアクセスプロセスで前記基地局から送信されるメッセージは、Ｍｓｇ２またはＭｓｇ４である。
【０１５１】
本開示の一部実施例において、基地局をさらに提供する。図８に示すように、当該基地局８００は、ユーザ機器に対し、前記ユーザ機器専用の物理ダウンリンク制御チャネルを伝送するための第１リソースセットを特定するように前記ユーザ機器に指示するための指示メッセージを送信する指示モジュール８０１を含む。
【０１５２】
選択可能に、前記基地局８００は、前記ユーザ機器がネットワークにアクセスした後の初めての無線リソース制御シグナリングのスケジューリング情報を、前記ユーザ機器によって、特定された前記第１リソースセットで前記ユーザ機器専用の物理ダウンリンク制御チャネルを検出して前記初めての無線リソース制御シグナリングのスケジューリング情報を受信するように、前記ユーザ機器専用の物理ダウンリンク制御チャネルで前記ユーザ機器に送信するスケジューリング情報送信モジュールと、前記ユーザ機器専用の物理ダウンリンク制御チャネルを伝送するための第２リソースセットを前記ユーザ機器に設定するリソース設定モジュールと、前記第２リソースセットの設定情報を、前記初めての無線リソース制御シグナリングの付帯情報として前記ユーザ機器に送信するシグナリング送信モジュールとをさらに含む。
【０１５３】
選択可能に、前記基地局８００は、前記ユーザ機器専用の物理ダウンリンク制御チャネルでの制御情報を前記第２リソースセット内で伝送する制御情報伝送モジュールをさらに含む。
【０１５４】
選択可能に、前記指示モジュールは、前記第１リソースセットの指示情報を、前記ユーザ機器のランダムアクセスプロセスで基地局から前記ユーザ機器に送信されるメッセージの付帯情報として前記ユーザ機器に送信する第１送信ユニットを含む。
【０１５５】
選択可能に、前記指示モジュールは、前記第１リソースセットの指示情報を、システムメッセージのうちＭＩＢメッセージ以外のシステムメッセージであるＲＭＳＩメッセージの付帯情報として前記ユーザ機器に送信する第２送信ユニットを含む。
【０１５６】
選択可能に、前記指示モジュールは、前記ユーザ機器に対しＭＩＢメッセージを、前記ユーザ機器によって、前記ＭＩＢメッセージから取得する共通制御チャネル伝送用のリソースセットを前記第１リソースセットに特定するように、送信する第３送信ユニットを含む。
【０１５７】
選択可能に、前記基地局８００は、前記第１リソースセットのサイズを、ＲＭＳＩメッセージ、またはＭＩＢメッセージ、または前記ユーザ機器のランダムアクセスプロセスで基地局から送信されるメッセージの付帯情報として、前記ユーザ機器に送信するリソースサイズ送信モジュールをさらに含み、それによって、前記ユーザ機器が、前記第１リソースセットのサイズ、および、プロトコルの定義で前記ユーザ機器のＲＮＴＩに基づいて特定された前記第１リソースセットの開始位置情報に基づいて、前記第１リソースセットを特定する。
【０１５８】
選択可能に、前記ユーザ機器のランダムアクセスプロセスで基地局から送信されるメッセージは、Ｍｓｇ２またはＭｓｇ４である。
【０１５９】
ここで、基地局に含まれる上記モジュールとユニットについて、各モジュールとユニットに有する機能は、同一のエンティティによって実現されてもよく、異なるエンティティによって実現されてもよい。
【０１６０】
ここで、ＲＲＣ接続が確立されていないユーザ機器の場合、ＲＲＣ接続が完成されていないため、基地局は、ＲＲＣ接続が確立されていないユーザ機器に対し、専用の物理ダウンリンク制御チャネルを伝送するためのリソースセットをＲＲＣシグナリングによって設定することができない。本開示の一部実施例によれば、基地局から指示する方式によって、ユーザ機器専用の物理ダウンリンク制御チャネルを伝送するためのリソースセットを特定することができる。よって、本開示の一部実施例を応用すれば、ＲＲＣ接続が確立されていないユーザ機器に対し、ユーザ機器専用の物理ダウンリンク制御チャネルを伝送するためのリソースセットを、基地局から指示する方式によって設定し、リソースの柔軟な設定を実現することができる。
【０１６１】
図９に示すように、本開示は、基地局をさらに提供する。当該基地局は、第２メモリ９２０、第２プロセッサ９００、および前記第２メモリ９２０に記憶されて前記第２プロセッサで実行可能なコンピュータプログラムを含む基地局をさらに提供する。第２プロセッサ９００は、プログラム９２０からプログラムを読み取ることによって、下記プロセスを実行するように第２トランシーバ９１０を制御する。すなわち、ユーザ機器に対し、前記ユーザ機器専用の物理ダウンリンク制御チャネルを伝送するための第１リソースセットを特定するように前記ユーザ機器に指示するための指示メッセージを送信する。
【０１６２】
ここで、図９において、バスアーキテクチャは、任意数の相互接続するバスとブリッジを含み、具体的に、第２プロセッサ９００をはじめとする１つ又は複数のプロセッサと第２メモリ９２０をはじめとするメモリの各種類の回路が接続したものである。バスアーキテクチャは、周辺イクイップメント、レギュレーター、電力管理回路などの各種類のほかの回路を接続したものであってもよい。これらは、いずれも本分野の公知事項であり、本文においてさらなる記載をしない。バスインタフェースにより、インタフェースが提供される。第２トランシーバ９１０は、複数の部品であってもよく、即ち送信機と受信機を含み、伝送媒体でほかの各種類の装置と通信するユニットとして提供される。第２プロセッサ９００は、バスアーキテクチャと通常の処理を管理する。第２メモリ９２０は、第２プロセッサ９００による作業時に使用されるデータを記憶できる。
【０１６３】
ここで、第２トランシーバ９１０で前記のユーザ機器に対し指示メッセージを送信した後に、第２プロセッサ９００は、さらに、前記ユーザ機器がネットワークにアクセスした後の初めての無線リソース制御シグナリングのスケジューリング情報を、前記ユーザ機器専用の物理ダウンリンク制御チャネルで前記ユーザ機器に送信するように第２トランシーバ９１０を制御する。それによって、前記ユーザ機器は、特定された前記第１リソースセットで前記ユーザ機器専用の物理ダウンリンク制御チャネルを検出して前記初めての無線リソース制御シグナリングのスケジューリング情報を受信する。第２プロセッサ９００は、さらに、前記ユーザ機器専用の物理ダウンリンク制御チャネルを伝送するための第２リソースセットを前記ユーザ機器に設定する。さらに、前記第２リソースセットの設定情報を、前記初めての無線リソース制御シグナリングの付帯情報として前記ユーザ機器に送信するように第２トランシーバ９１０を制御する。
【０１６４】
ここで、第２トランシーバ９１０が前記第２リソースセットの設定情報を、前記初めての無線リソース制御シグナリングの付帯情報として前記ユーザ機器に送信した後に、第２プロセッサ９００は、さらに、前記ユーザ機器専用の物理ダウンリンク制御チャネルでの制御情報を前記第２リソースセット内で伝送する。
【０１６５】
ここで、第２トランシーバ９１０で前記のユーザ機器に対し指示メッセージを送信する際に、具体的に、前記第１リソースセットの指示情報を、前記ユーザ機器のランダムアクセスプロセスで基地局から前記ユーザ機器に送信されるメッセージの付帯情報として前記ユーザ機器に送信する。
【０１６６】
ここで、第２トランシーバ９１０で前記のユーザ機器に対し指示メッセージを送信する際に、具体的に、前記第１リソースセットの指示情報を、システムメッセージのうちＭＩＢメッセージ以外のシステムメッセージであるＲＭＳＩメッセージの付帯情報として前記ユーザ機器に送信する。
【０１６７】
ここで、第２トランシーバ９１０で前記のユーザ機器に対し指示メッセージを送信する際に、具体的に、前記ユーザ機器に対しＭＩＢメッセージを、前記ユーザ機器によって、前記ＭＩＢメッセージから取得する共通制御チャネル伝送用のリソースセットを前記第１リソースセットに特定するように、送信する。
【０１６８】
ここで、第２トランシーバ９１０では、さらに、前記第１リソースセットのサイズを、ＲＭＳＩメッセージ、またはＭＩＢメッセージ、または前記ユーザ機器のランダムアクセスプロセスで基地局から送信されるメッセージの付帯情報として、前記ユーザ機器に送信する。それによって、前記ユーザ機器は、前記第１リソースセットのサイズ、および、プロトコルの定義で前記ユーザ機器のＲＮＴＩに基づいて特定された前記第１リソースセットの開始位置情報に基づいて、前記第１リソースセットを特定する。
【０１６９】
ここで、前記ユーザ機器のランダムアクセスプロセスで基地局から送信されるメッセージは、Ｍｓｇ２またはＭｓｇ４である。
【０１７０】
本開示の一部実施例において、コンピュータプログラムが記憶されているコンピュータ読み取り可能な記憶媒体をさらに提供する。当該プログラムがプロセッサによって実行されると、ユーザ機器に対し、前記ユーザ機器専用の物理ダウンリンク制御チャネルを伝送するための第１リソースセットを特定するように前記ユーザ機器に指示するための指示メッセージを送信するステップが実現される。
【０１７１】
ここで、前記のユーザ機器に対し指示メッセージを送信するステップの後に、上記プログラムがプロセッサによって実行されると、さらに、前記ユーザ機器がネットワークにアクセスした後の初めての無線リソース制御シグナリングのスケジューリング情報を、前記ユーザ機器によって、特定された前記第１リソースセットで前記ユーザ機器専用の物理ダウンリンク制御チャネルを検出して前記初めての無線リソース制御シグナリングのスケジューリング情報を受信するように、前記ユーザ機器専用の物理ダウンリンク制御チャネルで前記ユーザ機器に送信するステップが実現される。さらに、前記ユーザ機器専用の物理ダウンリンク制御チャネルを伝送するための第２リソースセットを前記ユーザ機器に設定するステップが実現される。さらに、前記第２リソースセットの設定情報を、前記初めての無線リソース制御シグナリングの付帯情報として前記ユーザ機器に送信するステップが実現される。
【０１７２】
ここで、前記の前記第２リソースセットの設定情報を、前記初めての無線リソース制御シグナリングの付帯情報として前記ユーザ機器に送信するステップの後に、上記プログラムがプロセッサによって実行されると、さらに、前記ユーザ機器専用の物理ダウンリンク制御チャネルでの制御情報を前記第２リソースセット内で伝送するステップが実現される。
【０１７３】
ここで、前記のユーザ機器に対し指示メッセージを送信するステップは、前記第１リソースセットの指示情報を、前記ユーザ機器のランダムアクセスプロセスで基地局から前記ユーザ機器に送信されるメッセージの付帯情報として前記ユーザ機器に送信するステップを含む。
【０１７４】
ここで、前記のユーザ機器に対し指示メッセージを送信するステップは、前記第１リソースセットの指示情報を、システムメッセージのうちＭＩＢメッセージ以外のシステムメッセージであるＲＭＳＩメッセージの付帯情報として前記ユーザ機器に送信するステップを含む。
【０１７５】
ここで、前記のユーザ機器に対し指示メッセージを送信するステップは、前記ユーザ機器に対しＭＩＢメッセージを、前記ユーザ機器によって、前記ＭＩＢメッセージから取得する共通制御チャネル伝送用のリソースセットを前記第１リソースセットに特定するように、送信するステップを含む。
【０１７６】
ここで、前記方法において、前記第１リソースセットのサイズを、ＲＭＳＩメッセージ、またはＭＩＢメッセージ、または前記ユーザ機器のランダムアクセスプロセスで基地局から送信されるメッセージの付帯情報として、前記ユーザ機器に送信するステップをさらに含む。それによって、前記ユーザ機器は、前記第１リソースセットのサイズ、および、プロトコルの定義で前記ユーザ機器のＲＮＴＩに基づいて特定された前記第１リソースセットの開始位置情報に基づいて、前記第１リソースセットを特定する。
【０１７７】
ここで、前記ユーザ機器のランダムアクセスプロセスで基地局から送信されるメッセージは、Ｍｓｇ２またはＭｓｇ４である。
【０１７８】
以上記載されたのは、本開示の好適な実施形態である。なお、当業者は、本開示に記載されている原理を逸脱せずに様々な改良や修飾をすることもできる。これらの改良や修飾も、本開示の保護範囲にある。
【図１】
2020524462.tif 000009
【図２】
2020524462.tif 000010
【図３】
2020524462.tif 000011
【図４】
2020524462.tif 000012
【図５】
2020524462.tif 000013
【図６】
2020524462.tif 000014
【図７】
2020524462.tif 000015
【図８】
2020524462.tif 000016
【図９】
2020524462.tif 000017
【手続補正書】
【提出日】令和1年12月19日(2019.12.19)
【手続補正１】
【補正対象書類名】特許請求の範囲
【補正対象項目名】全文
【補正方法】変更
【補正の内容】
【特許請求の範囲】
【請求項１】
基地局から送信される指示メッセージを受信し、ユーザ機器専用の物理ダウンリンク制御チャネルを伝送するための第１リソースセットを前記指示メッセージに基づいて特定するステップ、または、
プロトコルの定義に基づいて、ユーザ機器専用の物理ダウンリンク制御チャネルを伝送するための第１リソースセットを特定するステップを含む、ダウンリンク制御チャネルリソース特定方法。
【請求項２】
ユーザ機器専用の物理ダウンリンク制御チャネルを伝送するための第１リソースセットを特定するステップの後に、
前記ユーザ機器専用の物理ダウンリンク制御チャネルを前記第１リソースセット内で検出するステップをさらに含む、請求項１に記載の方法。
【請求項３】
前記の前記ユーザ機器専用の物理ダウンリンク制御チャネルを前記第１リソースセット内で検出するステップの後に、
前記ユーザ機器がネットワークにアクセスした後の初めての無線リソース制御シグナリングのスケジューリング情報を、検出した前記ユーザ機器専用の物理ダウンリンク制御チャネルで受信するステップと、
前記基地局から前記ユーザ機器に設定した専用の物理ダウンリンク制御チャネルの第２リソースセットの設定情報が付帯される前記初めての無線リソース制御シグナリングを、前記初めての無線リソース制御シグナリングのスケジューリング情報に基づいて受信するステップとをさらに含む、請求項２に記載の方法。
【請求項４】
前記の前記初めての無線リソース制御シグナリングを前記初めての無線リソース制御シグナリングのスケジューリング情報に基づいて受信するステップの後に、
受信した前記初めての無線リソース制御シグナリングに付帯される前記第２リソースセットの設定情報に基づいて、前記第２リソースセットを特定するステップと、
前記ユーザ機器専用の物理ダウンリンク制御チャネルで伝送される制御情報を前記第２リソースセット内で検出して受信するステップとをさらに含む、請求項３に記載の方法。
【請求項５】
前記の基地局から送信される指示メッセージを受信し、ユーザ機器専用の物理ダウンリンク制御チャネルを伝送するための第１リソースセットを前記指示メッセージに基づいて特定するステップは、
前記ユーザ機器のランダムアクセスプロセスで前記基地局から送信されるメッセージを受信し、当該メッセージに付帯される前記第１リソースセットの指示情報に基づいて前記第１リソースセットを特定することを含み、
前記ユーザ機器のランダムアクセスプロセスで前記基地局から送信されるメッセージは、Ｍｓｇ２またはＭｓｇ４である、請求項１に記載の方法。
【請求項６】
前記の基地局から送信される指示メッセージを受信し、ユーザ機器専用の物理ダウンリンク制御チャネルを伝送するための第１リソースセットを前記指示メッセージに基づいて特定するステップは、
システムメッセージのうちＭＩＢ（Ｍａｓｔｅｒ  Ｉｎｆｏｒｍａｔｉｏｎ  Ｂｌｏｃｋ）メッセージ以外のシステムメッセージであるＲＭＳＩメッセージを前記基地局から受信し、前記ＲＭＳＩメッセージに付帯される前記第１リソースセットの指示情報に基づいて前記第１リソースセットを特定するステップを含む、請求項１に記載の方法。
【請求項７】
前記の基地局から送信される指示メッセージを受信し、ユーザ機器専用の物理ダウンリンク制御チャネルを伝送するための第１リソースセットを前記指示メッセージに基づいて特定するステップは、
前記基地局から送信されるＭＩＢメッセージを受信し、前記ＭＩＢメッセージから取得する共通制御チャネル伝送用のリソースセットを前記第１リソースセットに特定するステップを含む、請求項１に記載の方法。
【請求項８】
前記のプロトコルの定義に基づいて、ユーザ機器専用の物理ダウンリンク制御チャネルを伝送するための第１リソースセットを特定するステップは、
プロトコルの定義で、前記ユーザ機器のＲＮＴＩ（Ｒａｄｉｏ  Ｎｅｔｗｏｒｋ  Ｔｅｍｐｏｒａｒｙ  Ｉｄｅｎｔｉｆｉｅｒ）に基づいて前記第１リソースセットの開始位置情報を特定するステップと、
前記第１リソースセットの開始位置情報、および予め取得した前記第１リソースセットのサイズに基づいて、前記第１リソースセットを特定するステップとを含み、
予め取得した前記第１リソースセットのサイズは、
前記プロトコルの定義で予め定義され、または、
前記ユーザ機器によって、前記ユーザ機器のランダムアクセスプロセスで前記基地局から送信されるメッセージから取得され、または、前記基地局から送信されるＲＭＳＩメッセージまたはＭＩＢメッセージから取得され、
ここで、前記ＲＭＳＩメッセージは、システムメッセージのうち、ＭＩＢメッセージ以外のシステムメッセージであり、
前記ユーザ機器のランダムアクセスプロセスで前記基地局から送信されるメッセージは、Ｍｓｇ２またはＭｓｇ４である、請求項１に記載の方法。
【請求項９】
ユーザ機器に対し、前記ユーザ機器専用の物理ダウンリンク制御チャネルを伝送するための第１リソースセットを特定するように前記ユーザ機器に指示するための指示メッセージを送信するステップを含む、ダウンリンク制御チャネルリソース特定方法。
【請求項１０】
前記のユーザ機器に対し指示メッセージを送信するステップの後に、
前記ユーザ機器がネットワークにアクセスした後の初めての無線リソース制御シグナリングのスケジューリング情報を、
前記ユーザ機器によって、特定された前記第１リソースセットで前記ユーザ機器専用の物理ダウンリンク制御チャネルを検出して前記初めての無線リソース制御シグナリングのスケジューリング情報を受信するように、
前記ユーザ機器専用の物理ダウンリンク制御チャネルで前記ユーザ機器に送信するステップと、
前記ユーザ機器専用の物理ダウンリンク制御チャネルを伝送するための第２リソースセットを前記ユーザ機器に設定するステップと、
前記第２リソースセットの設定情報を、前記初めての無線リソース制御シグナリングの付帯情報として前記ユーザ機器に送信するステップとをさらに含む、請求項９に記載の方法。
【請求項１１】
前記の前記第２リソースセットの設定情報を、前記初めての無線リソース制御シグナリングの付帯情報として前記ユーザ機器に送信するステップの後に、
前記ユーザ機器専用の物理ダウンリンク制御チャネルでの制御情報を前記第２リソースセット内で伝送するステップをさらに含む、請求項１０に記載の方法。
【請求項１２】
前記のユーザ機器に対し指示メッセージを送信するステップは、
前記第１リソースセットの指示情報を、前記ユーザ機器のランダムアクセスプロセスで基地局から前記ユーザ機器に送信されるメッセージの付帯情報として前記ユーザ機器に送信するステップを含む、請求項９に記載の方法。
【請求項１３】
前記のユーザ機器に対し指示メッセージを送信するステップは、
前記第１リソースセットの指示情報を、システムメッセージのうちＭＩＢメッセージ以外のシステムメッセージであるＲＭＳＩメッセージの付帯情報として前記ユーザ機器に送信するステップを含む、請求項９に記載の方法。
【請求項１４】
基地局から送信される指示メッセージを受信し、ユーザ機器専用の物理ダウンリンク制御チャネルを伝送するための第１リソースセットを前記指示メッセージに基づいて特定する第１特定モジュール、または、
プロトコルの定義に基づいて、ユーザ機器専用の物理ダウンリンク制御チャネルを伝送するための第１リソースセットを特定する第２特定モジュールを含む、ユーザ機器。
【請求項１５】
ユーザ機器に対し、前記ユーザ機器専用の物理ダウンリンク制御チャネルを伝送するための第１リソースセットを特定するように前記ユーザ機器に指示するための指示メッセージを送信する指示モジュールを含む、基地局。
【国際調査報告】
2020524462.tif 000018
2020524462.tif 000019
2020524462.tif 000020
2020524462.tif 000021